(57)【要約】  リモートデバイスとセルラネットワークとの間の安全な通信に必要なセキュリティパラメータの伝送問題を解決するためのセキュリティパラメータ伝送方法及び関係するデバイスが開示される。方法は、ネットワーク側デバイスにより、第１の端末デバイスにより送信された無線リソース接続管理シグナリングを受信するステップであり、第１の端末デバイスは、中継機能を有し、無線リソース接続管理シグナリングは、第２の端末デバイスにより第１の端末デバイスに送信されるステップと、ネットワーク側デバイスにより、無線リソース接続管理シグナリングを生成した第２の端末デバイスの識別子を決定し、第２の端末デバイスの識別子に対応するセキュリティパラメータを取得するステップと、ネットワーク側デバイスにより、第１の端末デバイスを使用することにより、取得されたセキュリティパラメータを第２の端末デバイスに送信するステップとを含む。
2019511154.tif 000002
【特許請求の範囲】
【請求項１】
セキュリティパラメータ伝送方法であって、
ネットワーク側デバイスにより、第１の端末デバイスにより送信された無線リソース接続管理シグナリングを受信するステップであり、前記第１の端末デバイスは、中継機能を有し、前記無線リソース接続管理シグナリングは、第２の端末デバイスにより前記第１の端末デバイスに送信されるステップと、
前記ネットワーク側デバイスにより、前記無線リソース接続管理シグナリングを生成した前記第２の端末デバイスの識別子を決定し、前記第２の端末デバイスの前記識別子に対応するセキュリティパラメータを取得するステップと、
前記ネットワーク側デバイスにより、前記第１の端末デバイスを使用することにより、前記取得されたセキュリティパラメータを前記第２の端末デバイスに送信するステップと
を含む方法。
【請求項２】
前記無線リソース接続管理シグナリングは、前記第２の端末デバイスの前記識別子を搬送する、請求項１に記載の方法。
【請求項３】
前記ネットワーク側デバイスにより、前記無線リソース接続管理シグナリングを生成した前記第２の端末デバイスの識別子を決定することは、
前記ネットワーク側デバイスにより、前記無線リソース接続管理シグナリングを伝送するための専用無線ベアラの識別子を決定し、専用無線ベアラの識別子と第２の端末デバイスの識別子との間の対応関係に基づいて、前記無線リソース接続管理シグナリングを伝送するための前記専用無線ベアラの前記識別子に対応する第２の端末デバイスの識別子が、前記無線リソース接続管理シグナリングを生成した前記第２の端末デバイスの前記識別子であると決定するステップであり、前記専用無線ベアラは、前記ネットワーク側デバイスと前記第１の端末デバイスとの間の無線ベアラであるステップ、又は
前記ネットワーク側デバイスにより、前記無線リソース接続管理シグナリングで搬送されたシグナリング送信元指示情報を取得し、前記シグナリング送信元指示情報に基づいて、前記無線リソース接続管理シグナリングが前記第２の端末デバイスにより生成されたと決定し、前記無線リソース接続管理シグナリングに基づいて、前記第２の端末デバイスの前記識別子を決定するステップであり、前記シグナリング送信元指示情報は、前記無線リソース接続管理シグナリングが前記第２の端末デバイスにより生成されたことを示すために使用されるステップ
を含む、請求項１に記載の方法。
【請求項４】
ネットワーク側デバイスにより、第１の端末デバイスにより送信された無線リソース接続管理シグナリングを受信する前に、前記方法は、
前記ネットワーク側デバイスにより、無線ベアラ設定シグナリングを前記第１の端末デバイスに送信するステップであり、前記無線ベアラ設定シグナリングは、前記第２の端末デバイスの前記無線リソース接続管理シグナリングを伝送するために設定されるべき前記専用無線ベアラの前記識別子を少なくとも含むステップと、
前記ネットワーク側デバイスにより、前記第１の端末デバイスにより返信された無線ベアラ設定完了シグナリングを受信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を更に含む、請求項３に記載の方法。
【請求項５】
前記ネットワーク側デバイスにより、前記第１の端末デバイスを使用することにより、前記取得されたセキュリティパラメータを前記第２の端末デバイスに送信することは、
前記ネットワーク側デバイスにより、セキュア伝送モード要求を生成するステップであり、前記セキュア伝送モード要求は、前記セキュリティパラメータを搬送するステップと、
前記ネットワーク側デバイスにより、前記セキュア伝送モード要求を前記第１の端末デバイスに送信し、それにより、前記第１の端末デバイスは、前記セキュア伝送モード要求を前記第２の端末デバイスに転送するステップと
を含む、請求項１乃至４のうちいずれか１項に記載の方法。
【請求項６】
前記セキュア伝送モード要求を搬送する専用無線ベアラの属性は、前記第２の端末デバイスの前記識別子を含み、前記専用無線ベアラは、前記ネットワーク側デバイスと前記第１の端末デバイスとの間の無線ベアラであり、前記第１の端末デバイスは、前記専用無線ベアラの前記属性に含まれる前記第２の端末デバイスの前記識別子に基づいて、前記セキュア伝送モード要求を前記第２の端末デバイスに転送するか、或いは
前記セキュア伝送モード要求は、前記第２の端末デバイスの前記識別子を更に搬送し、前記第１の端末デバイスは、前記セキュア伝送モード要求で搬送された前記第２の端末デバイスの前記識別子に基づいて、前記セキュア伝送モード要求を前記第２の端末デバイスに転送する、請求項５に記載の方法。
【請求項７】
前記セキュリティパラメータが前記第２の端末デバイスと前記ネットワーク側デバイスとの間でデータを伝送するために使用されるときに、暗号化及び／又は解読及び／又はインテグリティ保護及び／又はインテグリティ保護検査が前記データに対して実行される、請求項１乃至６のうちいずれか１項に記載の方法。
【請求項８】
セキュリティパラメータ伝送方法であって、
第１の端末デバイスにより、第２の端末デバイスの無線リソース接続管理シグナリングの宛先がネットワーク側デバイスであると決定し、次に、前記無線リソース接続管理シグナリングを前記ネットワーク側デバイスに送信するステップであり、前記第１の端末デバイスは、中継機能を有するステップと、
前記第１の端末デバイスにより、前記無線リソース接続管理シグナリングに基づいて前記ネットワーク側デバイスにより返信されたセキュリティパラメータを受信し、前記セキュリティパラメータを前記第２の端末デバイスに転送するステップであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得されるステップと
を含む方法。
【請求項９】
前記無線リソース接続管理シグナリングは、前記第２の端末デバイスの前記識別子を搬送する、請求項８に記載の方法。
【請求項１０】
第１の端末デバイスにより、第２の端末デバイスの無線リソース接続管理シグナリングの宛先がネットワーク側デバイスであると決定することは、
専用エアインタフェースリソースを使用することにより、前記第２の端末デバイスにより送信された前記無線リソース接続管理シグナリングを受信したと決定した場合、前記第１の端末デバイスにより、前記無線リソース接続管理シグナリングの前記宛先が前記ネットワーク側デバイスであると決定するステップであり、前記専用エアインタフェースリソースは、前記第２の端末デバイスのシグナリングを前記ネットワーク側デバイスに転送するように前記第１の端末デバイスに対して命令するために使用されるステップ、又は
前記第１の端末デバイスにより、前記無線リソース接続管理シグナリングが転送命令情報を搬送すると決定し、前記転送命令情報に基づいて、前記無線リソース接続管理シグナリングの前記宛先が前記ネットワーク側デバイスであると決定するステップであり、前記転送命令情報は、前記第２の端末デバイスのシグナリングを前記ネットワーク側デバイスに転送するように命令するために使用されるステップ
を含む、請求項８又は９に記載の方法。
【請求項１１】
第１の端末デバイスにより、前記無線リソース接続管理シグナリングを前記ネットワーク側デバイスに送信することは、
前記第１の端末デバイスにより、第２の端末デバイスの識別子と専用無線ベアラの識別子との間の対応関係に基づいて、前記無線リソース接続管理シグナリングを生成した前記第２の端末デバイスの前記識別子に対応する専用無線ベアラの識別子を決定し、前記専用無線ベアラの前記識別子に基づいて、前記無線リソース接続管理シグナリングを前記ネットワーク側デバイスに送信するステップであり、前記専用無線ベアラは、前記ネットワーク側デバイスと前記第１の端末デバイスとの間の無線ベアラであるステップ、又は
前記第１の端末デバイスにより、シグナリング送信元指示情報を前記無線リソース接続管理シグナリングに追加した後に、前記無線リソース接続管理シグナリングを前記ネットワーク側デバイスに送信するステップであり、前記シグナリング送信元指示情報は、前記無線リソース接続管理シグナリングが前記第２の端末デバイスにより生成されたことを示すために使用されるステップ
を含む、請求項８乃至１０のうちいずれか１項に記載の方法。
【請求項１２】
前記第１の端末デバイスにより、第２の端末デバイスの識別子と専用無線ベアラの識別子との間の対応関係に基づいて、前記無線リソース接続管理シグナリングを生成した前記第２の端末デバイスの前記識別子に対応する専用無線ベアラの識別子を決定する前に、前記方法は、
前記第１の端末デバイスにより、前記ネットワーク側デバイスにより送信された無線ベアラ設定シグナリングを受信するステップであり、前記無線ベアラ設定シグナリングは、前記第２の端末デバイスの前記無線リソース接続管理シグナリングを伝送するために設定されるべき前記専用無線ベアラの前記識別子を少なくとも含むステップと、
前記第１の端末デバイスにより、前記無線ベアラ設定シグナリングに基づいて、前記第２の端末デバイスの前記無線リソース接続管理シグナリングを転送するための前記専用無線ベアラを設定した後に、無線ベアラ設定完了シグナリングを前記ネットワーク側デバイスに返信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を更に含む、請求項１１に記載の方法。
【請求項１３】
前記第１の端末デバイスにより、前記無線リソース接続管理シグナリングに基づいて前記ネットワーク側デバイスにより返信されたセキュリティパラメータを受信し、前記セキュリティパラメータを前記第２の端末デバイスに転送することは、
前記第１の端末デバイスにより、前記ネットワーク側デバイスにより返信されたセキュア伝送モード要求を受信するステップであり、前記セキュア伝送モード要求は、前記セキュリティパラメータを搬送するステップと、
前記第１の端末デバイスにより、前記セキュア伝送モード要求を前記第２の端末デバイスに転送するステップと
を含む、請求項８乃至１２のうちいずれか１項に記載の方法。
【請求項１４】
前記第１の端末デバイスにより、前記セキュア伝送モード要求を前記第２の端末デバイスに転送することは、
前記第１の端末デバイスにより、前記セキュア伝送モード要求を搬送する専用無線ベアラの属性に含まれる前記第２の端末デバイスの前記識別子を決定し、前記専用無線ベアラは、前記ネットワーク側デバイスと前記第１の端末デバイスとの間の無線ベアラであり、前記専用無線ベアラの前記属性に含まれる前記第２の端末デバイスの前記識別子に基づいて、前記セキュア伝送モード要求を前記第２の端末デバイスに転送するステップ、又は
前記セキュア伝送モード要求が前記第２の端末デバイスの前記識別子を更に搬送する場合、前記第１の端末デバイスにより、前記セキュア伝送モード要求で搬送された前記第２の端末デバイスの前記識別子に基づいて、前記セキュア伝送モード要求を前記第２の端末デバイスに転送するステップ
を含む、請求項１３に記載の方法。
【請求項１５】
前記第１の端末デバイス及び前記第２の端末デバイスは、デバイス対デバイスD2Dプロトコル、ブルートゥースプロトコル又はワイヤレスフィデリティWi-Fiプロトコルを使用することにより、互いに無線接続を確立する、請求項８乃至１４のうちいずれか１項に記載の方法。
【請求項１６】
セキュリティパラメータ伝送方法であって、
第２の端末デバイスにより、無線リソース接続管理シグナリングを第１の端末デバイスに送信し、それにより、前記第１の端末デバイスは、前記無線リソース接続管理シグナリングの宛先がネットワーク側デバイスであると決定した後に、前記無線リソース接続管理シグナリングを前記ネットワーク側デバイスに転送するステップであり、前記第１の端末デバイスは、中継機能を有するステップと、
前記第２の端末デバイスにより、前記第１の端末デバイスを使用することにより、前記ネットワーク側デバイスにより返信されたセキュリティパラメータを受信するステップであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得されるステップと
を含む方法。
【請求項１７】
前記無線リソース接続管理シグナリングは、前記第２の端末デバイスの前記識別子を搬送する、請求項１６に記載の方法。
【請求項１８】
第２の端末デバイスにより、無線リソース接続管理シグナリングを第１の端末デバイスに送信することは、
前記第２の端末デバイスにより、専用エアインタフェースリソースを使用することにより、前記無線リソース接続管理シグナリングを前記第１の端末デバイスに送信するステップであり、前記専用エアインタフェースリソースは、前記第２の端末デバイスのシグナリングを前記ネットワーク側デバイスに転送するように命令するために使用されるステップ、又は
前記第２の端末デバイスにより、転送命令情報を前記無線リソース接続管理シグナリングに追加した後に、前記無線リソース接続管理シグナリングを前記第１の端末デバイスに送信するステップであり、前記転送命令情報は、前記第２の端末デバイスのシグナリングを前記ネットワーク側デバイスに転送するように命令するために使用されるステップ
を含む、請求項１６又は１７に記載の方法。
【請求項１９】
前記第１の端末デバイス及び前記第２の端末デバイスは、デバイス対デバイスD2Dプロトコル、ブルートゥースプロトコル又はワイヤレスフィデリティWi-Fiプロトコルを使用することにより、互いに無線接続を確立する、請求項１６乃至１８のうちいずれか１項に記載の方法。
【請求項２０】
セキュリティパラメータ伝送のための無線ベアラを設定するための方法であって、
ネットワーク側デバイスにより、無線ベアラ設定シグナリングを第１の端末デバイスに送信するステップであり、前記無線ベアラ設定シグナリングは、第２の端末デバイスの無線リソース接続管理シグナリングを伝送するために設定されるべき専用無線ベアラの識別子を少なくとも含み、前記専用無線ベアラは、前記ネットワーク側デバイスと前記第１の端末デバイスとの間の無線ベアラであり、前記第１の端末デバイスは、中継機能を有するステップと、
前記ネットワーク側デバイスにより、前記第１の端末デバイスにより返信された無線ベアラ設定完了シグナリングを受信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を含む方法。
【請求項２１】
前記無線ベアラ設定シグナリングは、以下のもの、すなわち、
前記設定されるべき専用無線ベアラが前記第２の端末デバイスのデータを中継するために使用されることを示すために使用される中継指示情報、
前記設定されるべき専用無線ベアラが第２の端末デバイス識別子又は第２の端末デバイス識別子リストにより示される第２の端末デバイスのデータを伝送するために使用されることを示すために使用される前記第２の端末デバイス識別子又は前記第２の端末デバイス識別子リスト、
無線リンク制御レイヤの設定パラメータ、
前記設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む、請求項２０に記載の方法。
【請求項２２】
セキュリティパラメータ伝送のための無線ベアラを設定するための方法であって、
第１の端末デバイスにより、ネットワーク側デバイスにより送信された無線ベアラ設定シグナリングを受信するステップであり、前記無線ベアラ設定シグナリングは、第２の端末デバイスの無線リソース接続管理シグナリングを伝送するために設定されるべき専用無線ベアラの識別子を少なくとも含み、前記専用無線ベアラは、前記ネットワーク側デバイスと前記第１の端末デバイスとの間の無線ベアラであり、前記第１の端末デバイスは、中継機能を有するステップと、
前記第１の端末デバイスにより、前記無線ベアラ設定シグナリングに基づいて、前記第２の端末デバイスの前記無線リソース接続管理シグナリングを転送するための前記専用無線ベアラを設定した後に、無線ベアラ設定完了シグナリングを前記ネットワーク側デバイスに返信するステップであり、前記無線ベアラ設定完了シグナリングは、前記第２の端末デバイスの前記無線リソース接続管理シグナリングを伝送するための前記専用無線ベアラの設定が完了したことを示すために使用されるステップと
を含む方法。
【請求項２３】
前記無線ベアラ設定シグナリングは、以下のもの、すなわち、
前記設定されるべき専用無線ベアラが前記第２の端末デバイスのデータを中継するために使用されることを示すために使用される中継指示情報、
前記設定されるべき専用無線ベアラが第２の端末デバイス識別子又は第２の端末デバイス識別子リストにより示される第２の端末デバイスのデータを伝送するために使用されることを示すために使用される前記第２の端末デバイス識別子又は前記第２の端末デバイス識別子リスト、
無線リンク制御レイヤの設定パラメータ、
前記設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む、請求項２２に記載の方法。
【請求項２４】
第１の端末デバイスにより送信された無線リソース接続管理シグナリングを受信するように構成された受信モジュールであり、前記第１の端末デバイスは、中継機能を有し、前記無線リソース接続管理シグナリングは、第２の端末デバイスにより前記第１の端末デバイスに送信される受信モジュールと、
前記受信モジュールにより受信された前記無線リソース接続管理シグナリングを生成した前記第２の端末デバイスの識別子を決定し、前記第２の端末デバイスの前記識別子に対応するセキュリティパラメータを取得するように構成された処理モジュールと、
前記第１の端末デバイスを使用することにより、前記取得されたセキュリティパラメータを前記第２の端末デバイスに送信するように構成された送信モジュールと
を含むネットワーク側デバイス。
【請求項２５】
前記無線リソース接続管理シグナリングは、前記第２の端末デバイスの前記識別子を搬送する、請求項２４に記載のネットワーク側デバイス。
【請求項２６】
前記処理モジュールは、
前記無線リソース接続管理シグナリングを伝送するための専用無線ベアラの識別子を決定し、専用無線ベアラの識別子と第２の端末デバイスの識別子との間の対応関係に基づいて、前記無線リソース接続管理シグナリングを伝送するための前記専用無線ベアラの前記識別子に対応する第２の端末デバイスの識別子が、前記無線リソース接続管理シグナリングを生成した前記第２の端末デバイスの前記識別子であると決定し、前記専用無線ベアラは、前記ネットワーク側デバイスと前記第１の端末デバイスとの間の無線ベアラであるか、或いは
前記無線リソース接続管理シグナリングで搬送されたシグナリング送信元指示情報を取得し、前記シグナリング送信元指示情報に基づいて、前記無線リソース接続管理シグナリングが前記第２の端末デバイスにより生成されたと決定し、前記無線リソース接続管理シグナリングに基づいて、前記第２の端末デバイスの前記識別子を決定し、前記シグナリング送信元指示情報は、前記無線リソース接続管理シグナリングが前記第２の端末デバイスにより生成されたことを示すために使用される
ように具体的に構成される、請求項２４に記載のネットワーク側デバイス。
【請求項２７】
前記送信モジュールは、
前記受信モジュールが前記第１の端末デバイスにより送信された前記無線リソース接続管理シグナリングを受信する前に、無線ベアラ設定シグナリングを前記第１の端末デバイスに送信するように更に構成され、前記無線ベアラ設定シグナリングは、前記第２の端末デバイスの前記無線リソース接続管理シグナリングを伝送するために設定されるべき前記専用無線ベアラの前記識別子を少なくとも含み、
前記受信モジュールは、
前記第１の端末デバイスにより返信された無線ベアラ設定完了シグナリングを受信するように更に構成され、前記無線ベアラ設定完了シグナリングは、前記第２の端末デバイスの前記無線リソース接続管理シグナリングを伝送するための前記専用無線ベアラの設定が完了したことを示すために使用される、請求項２６に記載のネットワーク側デバイス。
【請求項２８】
前記処理モジュールは、
セキュア伝送モード要求を生成するように具体的に構成され、前記セキュア伝送モード要求は、前記セキュリティパラメータを搬送し、
前記送信モジュールは、
前記処理モジュールにより生成された前記セキュア伝送モード要求を前記第１の端末デバイスに送信するように具体的に構成され、それにより、前記第１の端末デバイスは、前記セキュア伝送モード要求を前記第２の端末デバイスに転送する、請求項２４乃至２７のうちいずれか１項に記載のネットワーク側デバイス。
【請求項２９】
前記セキュア伝送モード要求を搬送する専用無線ベアラの属性は、前記第２の端末デバイスの前記識別子を含み、前記専用無線ベアラは、前記ネットワーク側デバイスと前記第１の端末デバイスとの間の無線ベアラであり、前記第１の端末デバイスは、前記専用無線ベアラの前記属性に含まれる前記第２の端末デバイスの前記識別子に基づいて、前記セキュア伝送モード要求を前記第２の端末デバイスに転送するか、或いは
前記セキュア伝送モード要求は、前記第２の端末デバイスの前記識別子を更に搬送し、前記第１の端末デバイスは、前記セキュア伝送モード要求で搬送された前記第２の端末デバイスの前記識別子に基づいて、前記セキュア伝送モード要求を前記第２の端末デバイスに転送する、請求項２８に記載のネットワーク側デバイス。
【請求項３０】
前記セキュリティパラメータが前記第２の端末デバイスと前記ネットワーク側デバイスとの間でデータを伝送するために使用されるときに、暗号化及び／又は解読及び／又はインテグリティ保護及び／又はインテグリティ保護検査が前記データに対して実行される、請求項２４乃至２９のうちいずれか１項に記載のネットワーク側デバイス。
【請求項３１】
中継機能を有する第１の端末デバイスである端末デバイスであって、
第２の端末デバイスの無線リソース接続管理シグナリングの宛先がネットワーク側デバイスであると決定された後に、前記無線リソース接続管理シグナリングを前記ネットワーク側デバイスに送信するように送信モジュールに対して命令するように構成された第１の処理モジュールと、
受信モジュールを使用することにより、前記無線リソース接続管理シグナリングに基づいて前記ネットワーク側デバイスにより返信されたセキュリティパラメータを受信し、前記セキュリティパラメータを前記第２の端末デバイスに転送するように前記送信モジュールに対して命令するように構成された第２の処理モジュールであり、前記セキュリティパラメータは、前記ネットワーク側デバイスが前記無線リソース接続管理シグナリングを生成した前記第２の端末デバイスの識別子を決定した後に、前記第２の端末デバイスの前記識別子に基づいて前記ネットワーク側デバイスにより取得される第２の処理モジュールと
を含む端末デバイス。
【請求項３２】
前記無線リソース接続管理シグナリングは、前記第２の端末デバイスの前記識別子を搬送する、請求項３１に記載の端末デバイス。
【請求項３３】
前記第１の処理モジュールは、
専用エアインタフェースリソースを使用することにより、前記受信モジュールが前記第２の端末デバイスにより送信された前記無線リソース接続管理シグナリングを受信したと決定した場合、前記無線リソース接続管理シグナリングの前記宛先が前記ネットワーク側デバイスであると決定し、前記専用エアインタフェースリソースは、前記第２の端末デバイスのシグナリングを前記ネットワーク側デバイスに転送するように前記第１の端末デバイスに対して命令するために使用されるか、或いは
前記無線リソース接続管理シグナリングが転送命令情報を搬送すると決定し、前記転送命令情報に基づいて、前記無線リソース接続管理シグナリングの前記宛先が前記ネットワーク側デバイスであると決定し、前記転送命令情報は、前記第２の端末デバイスのシグナリングを前記ネットワーク側デバイスに転送するように命令するために使用される
ように具体的に構成される、請求項３１又は３２に記載の端末デバイス。
【請求項３４】
前記第１の処理モジュールは、
第２の端末デバイスの識別子と専用無線ベアラの識別子との間の対応関係に基づいて、前記無線リソース接続管理シグナリングを生成した前記第２の端末デバイスの前記識別子に対応する専用無線ベアラの識別子を決定し、前記専用無線ベアラの前記識別子に基づいて、前記無線リソース接続管理シグナリングを前記ネットワーク側デバイスに送信するように前記送信モジュールに対して命令し、前記専用無線ベアラは、前記ネットワーク側デバイスと前記第１の端末デバイスとの間の無線ベアラであるか、或いは
シグナリング送信元指示情報が前記無線リソース接続管理シグナリングに追加された後に、前記無線リソース接続管理シグナリングを前記ネットワーク側デバイスに送信するように前記送信モジュールに対して命令し、前記シグナリング送信元指示情報は、前記無線リソース接続管理シグナリングが前記第２の端末デバイスにより生成されたことを示すために使用される
ように具体的に構成される、請求項３１乃至３３のうちいずれか１項に記載の端末デバイス。
【請求項３５】
前記第１の処理モジュールは、
第２の端末デバイスの識別子と専用無線ベアラの識別子との間の前記対応関係に基づいて、前記無線リソース接続管理シグナリングを生成した前記第２の端末デバイスの前記識別子に対応する前記専用無線ベアラの前記識別子を決定する前に、前記受信モジュールを使用することにより、前記ネットワーク側デバイスにより送信された無線ベアラ設定シグナリングを受信し、前記無線ベアラ設定シグナリングは、前記第２の端末デバイスの前記無線リソース接続管理シグナリングを伝送するために設定されるべき前記専用無線ベアラの前記識別子を少なくとも含み、
前記第２の端末デバイスの前記無線リソース接続管理シグナリングを転送するための前記専用無線ベアラが前記無線ベアラ設定シグナリングに基づいて設定された後に、無線ベアラ設定完了シグナリングを前記ネットワーク側デバイスに返信するように前記送信モジュールに対して命令し、前記無線ベアラ設定完了シグナリングは、前記第２の端末デバイスの前記無線リソース接続管理シグナリングを伝送するための前記専用無線ベアラの設定が完了したことを示すために使用される
ように更に構成される、請求項３４に記載の端末デバイス。
【請求項３６】
前記第２の処理モジュールは、
前記受信モジュールを使用することにより、前記ネットワーク側デバイスにより返信されたセキュア伝送モード要求を受信し、前記セキュア伝送モード要求は、前記セキュリティパラメータを搬送し、
前記セキュア伝送モード要求を前記第２の端末デバイスに転送するように前記送信モジュールに対して命令する
ように具体的に構成される、請求項３１乃至３５のうちいずれか１項に記載の端末デバイス。
【請求項３７】
前記第２の処理モジュールは、
前記セキュア伝送モード要求を搬送する専用無線ベアラの属性に含まれる前記第２の端末デバイスの前記識別子を決定し、前記専用無線ベアラは、前記ネットワーク側デバイスと前記第１の端末デバイスとの間の無線ベアラであり、前記送信モジュールを使用することにより、前記専用無線ベアラの前記属性に含まれる前記第２の端末デバイスの前記識別子に基づいて、前記セキュア伝送モード要求を前記第２の端末デバイスに転送するか、或いは
前記セキュア伝送モード要求が前記第２の端末デバイスの前記識別子を更に搬送する場合、前記送信モジュールを使用することにより、前記セキュア伝送モード要求で搬送された前記第２の端末デバイスの前記識別子に基づいて、前記セキュア伝送モード要求を前記第２の端末デバイスに転送する
ように具体的に構成される、請求項３６に記載の端末デバイス。
【請求項３８】
前記第１の端末デバイス及び前記第２の端末デバイスは、デバイス対デバイスD2Dプロトコル、ブルートゥースプロトコル又はワイヤレスフィデリティWi-Fiプロトコルを使用することにより、互いに無線接続を確立する、請求項３１乃至３７のうちいずれか１項に記載の端末デバイス。
【請求項３９】
無線リソース接続管理シグナリングを第１の端末デバイスに送信するように構成された送信モジュールであり、それにより、前記第１の端末デバイスは、前記無線リソース接続管理シグナリングの宛先がネットワーク側デバイスであると決定した後に、前記無線リソース接続管理シグナリングを前記ネットワーク側デバイスに転送し、前記第１の端末デバイスは、中継機能を有する送信モジュールと、
前記第１の端末デバイスを使用することにより、前記ネットワーク側デバイスにより返信されたセキュリティパラメータを受信するように構成された受信モジュールであり、前記セキュリティパラメータは、前記ネットワーク側デバイスが前記無線リソース接続管理シグナリングを生成した端末デバイスの識別子を決定した後に、前記端末デバイスの前記識別子に基づいて前記ネットワーク側デバイスにより取得される受信モジュールと
を含む端末デバイス。
【請求項４０】
前記無線リソース接続管理シグナリングは、前記端末デバイスの前記識別子を搬送する、請求項３９に記載の端末デバイス。
【請求項４１】
前記送信モジュールは、
専用エアインタフェースリソースを使用することにより、前記無線リソース接続管理シグナリングを前記第１の端末デバイスに送信し、前記専用エアインタフェースリソースは、前記端末デバイスのシグナリングを前記ネットワーク側デバイスに転送するように命令するために使用されるか、或いは
転送命令情報が前記無線リソース接続管理シグナリングに追加された後に、前記無線リソース接続管理シグナリングを前記第１の端末デバイスに送信し、前記転送命令情報は、前記端末デバイスのシグナリングを前記ネットワーク側デバイスに転送するように命令するために使用される
ように具体的に構成される、請求項３９又は４０に記載の端末デバイス。
【請求項４２】
前記第１の端末デバイス及び前記端末デバイスは、デバイス対デバイスD2Dプロトコル、ブルートゥースプロトコル又はワイヤレスフィデリティWi-Fiプロトコルを使用することにより、互いに無線接続を確立する、請求項３９乃至４１のうちいずれか１項に記載の端末デバイス。
【請求項４３】
無線ベアラ設定シグナリングを第１の端末デバイスに送信するように構成された送信モジュールであり、前記無線ベアラ設定シグナリングは、第２の端末デバイスの無線リソース接続管理シグナリングを伝送するために設定されるべき専用無線ベアラの識別子を少なくとも含み、前記専用無線ベアラは、ネットワーク側デバイスと前記第１の端末デバイスとの間の無線ベアラであり、前記第１の端末デバイスは、中継機能を有する送信モジュールと、
前記第１の端末デバイスにより返信された無線ベアラ設定完了シグナリングを受信するように構成された受信モジュールであり、前記無線ベアラ設定完了シグナリングは、前記第２の端末デバイスの前記無線リソース接続管理シグナリングを伝送するための前記専用無線ベアラの設定が完了したことを示すために使用される受信モジュールと
を含むネットワーク側デバイス。
【請求項４４】
中継機能を有する第１の端末デバイスである端末デバイスであって、
ネットワーク側デバイスにより送信された無線ベアラ設定シグナリングを受信するように構成された受信モジュールであり、前記無線ベアラ設定シグナリングは、第２の端末デバイスの無線リソース接続管理シグナリングを伝送するために設定されるべき専用無線ベアラの識別子を少なくとも含み、前記専用無線ベアラは、前記ネットワーク側デバイスと前記第１の端末デバイスとの間の無線ベアラである受信モジュールと、
前記第２の端末デバイスの前記無線リソース接続管理シグナリングを転送するための前記専用無線ベアラが前記無線ベアラ設定シグナリングに基づいて設定された後に、無線ベアラ設定完了シグナリングを前記ネットワーク側デバイスに返信するように構成された送信モジュールであり、前記無線ベアラ設定完了シグナリングは、前記第２の端末デバイスの前記無線リソース接続管理シグナリングを伝送するための前記専用無線ベアラの設定が完了したことを示すために使用される送信モジュールと
を含む端末デバイス。
【発明の詳細な説明】
【技術分野】
【０００１】
本発明は、通信技術の分野に関し、特にセキュリティパラメータ伝送方法及び関係するデバイスに関する。
【背景技術】
【０００２】
デバイス対デバイス（Device-to-Device,  略称D2D）通信は、デバイスが互いに直接通信することを意味し、配置シナリオは、図１〜図４に示されている。D2D通信モードにおける通信距離は限られているため、ネットワークのカバレッジ外に位置する端末（User  Equipment,  略称UE）は、ネットワークへの接続を確立できず、端末とネットワークとの間の通信能力が影響を受ける。端末がネットワークのカバレッジ外に位置するが、ネットワークのカバレッジに比較的近いときに、ネットワークのカバレッジ内の端末が見つけられ、ネットワークへの接続を確立するための中継器として使用されてもよい。図５に示すように、UE  Bがネットワークのカバレッジ外に位置するときに、UE  Bは、ネットワークのカバレッジ内のUE  Aを使用することにより、ネットワークへの接続を確立してもよい。中継サービスを提供するUE  Aは、中継ユーザ装置（Relay  UE）又は中継端末と呼ばれ、UE  Bは、リモートユーザ端末（Remote  UE）又はリモート端末、すなわち、ネットワークのカバレッジ外に位置するユーザ装置又は端末と呼ばれる。
【０００３】
現在、ウェアラブル装置（Wearable  Equipment,  略称WE）は、D2Dプロトコルを使用することにより、スマートフォンと主に通信する。一般的に、ウェアラブル装置は、ブルートゥース技術又はワイヤレスフィデリティ（Wireless  Fidelity,  略称Wi-Fi）技術を使用することにより、スマートフォンと通信し、ウェアラブル装置とスマートフォンとの間の相互作用の情報は、ネットワークに見えない。しかし、多くの場合、ウェアラブル装置はスマートフォンから遠く離れており、直接セルラネットワーク接続モードを有効してもよく、すなわち、ウェアラブル装置は、中継サービスを提供する近くの中継UEを使用することにより、セルラネットワークにアクセスする。
【０００４】
直接セルラ接続モードにおけるウェアラブル装置とセルラネットワークとの間の通信のセキュリティをどのように改善するかが、解決される必要がある問題である。
【発明の概要】
【０００５】
本発明の実施例は、リモートデバイスとセルラネットワークとの間の安全な通信に必要なセキュリティパラメータの伝送問題を解決するためのセキュリティパラメータ伝送方法及び関係するデバイスを提供する。
【０００６】
本発明の実施例において提供される具体的な技術的解決策は以下の通りである。
【０００７】
第１の態様によれば、本発明の実施例は、セキュリティパラメータ伝送方法を提供し、
ネットワーク側デバイスにより、第１の端末デバイスにより送信された無線リソース接続管理シグナリングを受信するステップであり、第１の端末デバイスは、中継機能を有し、無線リソース接続管理シグナリングは、第２の端末デバイスにより第１の端末デバイスに送信されるステップと、
ネットワーク側デバイスにより、無線リソース接続管理シグナリングを生成した第２の端末デバイスの識別子を決定し、第２の端末デバイスの識別子に対応するセキュリティパラメータを取得するステップと、
ネットワーク側デバイスにより、第１の端末デバイスを使用することにより、取得されたセキュリティパラメータを第２の端末デバイスに送信するステップと
を含む。
【０００８】
この実施例では、中継機能を有する第１の端末デバイスを使用することにより、セキュリティパラメータを取得することを要求するために使用される無線リソース接続管理シグナリングを受信した後に、ネットワーク側デバイスは、無線リソース接続管理情報を生成した第２の端末デバイスの識別子を決定し、第２の端末デバイスの識別子に対応するセキュリティパラメータを取得し、第１の端末デバイスを使用することにより、取得されたセキュリティパラメータを第２の端末デバイスに送信し、それにより、ネットワーク側デバイスは、第１の端末デバイスを使用することによりシグナリングを転送する方式で、第２の端末デバイスのためのセキュリティパラメータを設定する。
【０００９】
可能な実現方式では、無線リソース接続管理シグナリングは、第２の端末デバイスの識別子を搬送する。
【００１０】
可能な実現方式では、ネットワーク側デバイスにより、無線リソース接続管理シグナリングを生成した第２の端末デバイスの識別子を決定することは、
ネットワーク側デバイスにより、無線リソース接続管理シグナリングを伝送するための専用無線ベアラの識別子を決定し、専用無線ベアラの識別子と第２の端末デバイスの識別子との間の対応関係に基づいて、無線リソース接続管理シグナリングを伝送するための専用無線ベアラの識別子に対応する第２の端末デバイスの識別子が、無線リソース接続管理シグナリングを生成した第２の端末デバイスの識別子であると決定するステップであり、専用無線ベアラは、ネットワーク側デバイスと第１の端末デバイスとの間の無線ベアラであるステップ、又は
ネットワーク側デバイスにより、無線リソース接続管理シグナリングで搬送されたシグナリング送信元指示情報を取得し、シグナリング送信元指示情報に基づいて、無線リソース接続管理シグナリングが第２の端末デバイスにより生成されたと決定し、無線リソース接続管理シグナリングに基づいて、第２の端末デバイスの識別子を決定するステップであり、シグナリング送信元指示情報は、無線リソース接続管理シグナリングが第２の端末デバイスにより生成されたことを示すために使用されるステップ
を含む。
【００１１】
この実施例では、ネットワーク側デバイスは、第２の端末デバイスのシグナリングから、第１の端末デバイスのシグナリングを区別できる。
【００１２】
可能な実現方式では、ネットワーク側デバイスにより、第１の端末デバイスにより送信された無線リソース接続管理シグナリングを受信する前に、方法は、
ネットワーク側デバイスにより、無線ベアラ設定シグナリングを第１の端末デバイスに送信するステップであり、無線ベアラ設定シグナリングは、第２の端末デバイスの無線リソース接続管理シグナリングを伝送するために設定されるべき専用無線ベアラの識別子を少なくとも含むステップと、
ネットワーク側デバイスにより、第１の端末デバイスにより返信された無線ベアラ設定完了シグナリングを受信するステップであり、無線ベアラ設定完了シグナリングは、第２の端末デバイスの無線リソース接続管理シグナリングを伝送するための専用無線ベアラの設定が完了したことを示すために使用されるステップと
を更に含む。
【００１３】
この実施例では、第２の端末デバイスのシグナリングを転送するための専用無線ベアラは、第１の端末デバイスとネットワーク側デバイスとの間に設定できる。
【００１４】
可能な実現方式では、ネットワーク側デバイスにより、第１の端末デバイスを使用することにより、取得されたセキュリティパラメータを第２の端末デバイスに送信することは、
ネットワーク側デバイスにより、セキュア伝送モード要求を生成するステップであり、セキュア伝送モード要求は、セキュリティパラメータを搬送するステップと、
ネットワーク側デバイスにより、セキュア伝送モード要求を第１の端末デバイスに送信し、それにより、第１の端末デバイスは、セキュア伝送モード要求を第２の端末デバイスに転送するステップと
を含む。
【００１５】
この実施例では、ネットワーク側デバイスは、セキュリティパラメータを第２の端末デバイスに転送するための中継器として、第１の端末デバイスを使用できる。
【００１６】
可能な実現方式では、セキュア伝送モード要求を搬送する専用無線ベアラの属性は、第２の端末デバイスの識別子を含み、専用無線ベアラは、ネットワーク側デバイスと第１の端末デバイスとの間の無線ベアラであり、第１の端末デバイスは、専用無線ベアラの属性に含まれる第２の端末デバイスの識別子に基づいて、セキュア伝送モード要求を第２の端末デバイスに転送するか、或いは
セキュア伝送モード要求は、第２の端末デバイスの識別子を更に搬送し、第１の端末デバイスは、セキュア伝送モード要求で搬送された第２の端末デバイスの識別子に基づいて、セキュア伝送モード要求を第２の端末デバイスに転送する。
【００１７】
この実施例では、第１の端末デバイスは、ネットワーク側デバイスにより送信されたシグナリングが第１の端末デバイスに属するか、或いはシグナリングが第２の端末デバイスに中継される必要があるかを区別できる。
【００１８】
可能な実現方式では、セキュリティパラメータが第２の端末デバイスとネットワーク側デバイスとの間でデータを伝送するために使用されるときに、暗号化及び／又は解読及び／又はインテグリティ保護及び／又はインテグリティ保護検査がデータに対して実行される。
【００１９】
第２の態様によれば、本発明の実施例は、セキュリティパラメータ伝送方法を提供し、
第１の端末デバイスにより、第２の端末デバイスの無線リソース接続管理シグナリングの宛先がネットワーク側デバイスであると決定し、次に、無線リソース接続管理シグナリングをネットワーク側デバイスに送信するステップであり、第１の端末デバイスは、中継機能を有するステップと、
第１の端末デバイスにより、無線リソース接続管理シグナリングに基づいてネットワーク側デバイスにより返信されたセキュリティパラメータを受信し、セキュリティパラメータを第２の端末デバイスに転送するステップであり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得されるステップと
を含む。
【００２０】
この実施例では、第１の端末デバイスは、第２の端末デバイスのセキュリティパラメータをネットワーク側デバイスから第２の端末デバイスに転送するために、中継機能を使用する。
【００２１】
可能な実現方式では、無線リソース接続管理シグナリングは、第２の端末デバイスの識別子を搬送する。
【００２２】
可能な実現方式では、第１の端末デバイスにより、第２の端末デバイスの無線リソース接続管理シグナリングの宛先がネットワーク側デバイスであると決定することは、
専用エアインタフェースリソースを使用することにより、第２の端末デバイスにより送信された無線リソース接続管理シグナリングを受信したと決定した場合、第１の端末デバイスにより、無線リソース接続管理シグナリングの宛先がネットワーク側デバイスであると決定するステップであり、専用エアインタフェースリソースは、第２の端末デバイスのシグナリングをネットワーク側デバイスに転送するように第１の端末デバイスに対して命令するために使用されるステップ、又は
第１の端末デバイスにより、無線リソース接続管理シグナリングが転送命令情報を搬送すると決定し、転送命令情報に基づいて、無線リソース接続管理シグナリングの宛先がネットワーク側デバイスであると決定するステップであり、転送命令情報は、第２の端末デバイスのシグナリングをネットワーク側デバイスに転送するように命令するために使用されるステップ
を含む。
【００２３】
この実施例では、第１の端末デバイスは、宛先がネットワーク側デバイスであるシグナリングから、宛先が第１の端末デバイスであるシグナリングを区別し、宛先がネットワーク側デバイスである第２の端末デバイスからのシグナリングを直接転送できる。
【００２４】
可能な実現方式では、第１の端末デバイスにより、無線リソース接続管理シグナリングをネットワーク側デバイスに送信することは、
第１の端末デバイスにより、第２の端末デバイスの識別子と専用無線ベアラの識別子との間の対応関係に基づいて、無線リソース接続管理シグナリングを生成した第２の端末デバイスの識別子に対応する専用無線ベアラの識別子を決定し、専用無線ベアラの識別子に基づいて、無線リソース接続管理シグナリングをネットワーク側デバイスに送信するステップであり、専用無線ベアラは、ネットワーク側デバイスと第１の端末デバイスとの間の無線ベアラであるステップ、又は
第１の端末デバイスにより、シグナリング送信元指示情報を無線リソース接続管理シグナリングに追加した後に、無線リソース接続管理シグナリングをネットワーク側デバイスに送信するステップであり、シグナリング送信元指示情報は、無線リソース接続管理シグナリングが第２の端末デバイスにより生成されたことを示すために使用されるステップ
を含む。
【００２５】
この実施例では、ネットワーク側デバイスは、第２の端末デバイスのシグナリングから、第１の端末デバイスのシグナリングを区別できる。
【００２６】
可能な実現方式では、第１の端末デバイスにより、第２の端末デバイスの識別子と専用無線ベアラの識別子との間の対応関係に基づいて、無線リソース接続管理シグナリングを生成した第２の端末デバイスの識別子に対応する専用無線ベアラの識別子を決定する前に、方法は、
第１の端末デバイスにより、ネットワーク側デバイスにより送信された無線ベアラ設定シグナリングを受信するステップであり、無線ベアラ設定シグナリングは、第２の端末デバイスの無線リソース接続管理シグナリングを伝送するために設定されるべき専用無線ベアラの識別子を少なくとも含むステップと、
第１の端末デバイスにより、無線ベアラ設定シグナリングに基づいて、第２の端末デバイスの無線リソース接続管理シグナリングを転送するための専用無線ベアラを設定した後に、無線ベアラ設定完了シグナリングをネットワーク側デバイスに返信するステップであり、無線ベアラ設定完了シグナリングは、第２の端末デバイスの無線リソース接続管理シグナリングを伝送するための専用無線ベアラの設定が完了したことを示すために使用されるステップと
を更に含む。
【００２７】
この実施例では、第２の端末デバイスのシグナリングを転送するための専用無線ベアラは、第１の端末デバイスとネットワーク側デバイスとの間に設定できる。
【００２８】
可能な実現方式では、第１の端末デバイスにより、無線リソース接続管理シグナリングに基づいてネットワーク側デバイスにより返信されたセキュリティパラメータを受信し、セキュリティパラメータを第２の端末デバイスに転送することは、
第１の端末デバイスにより、ネットワーク側デバイスにより返信されたセキュア伝送モード要求を受信するステップであり、セキュア伝送モード要求は、セキュリティパラメータを搬送するステップと、
第１の端末デバイスにより、セキュア伝送モード要求を第２の端末デバイスに転送するステップと
を含む。
【００２９】
この実施例では、ネットワーク側デバイスは、セキュリティパラメータを第２の端末デバイスに転送するための中継器として、第１の端末デバイスを使用できる。
【００３０】
可能な実現方式では、第１の端末デバイスにより、セキュア伝送モード要求を第２の端末デバイスに転送することは、
第１の端末デバイスにより、セキュア伝送モード要求を搬送する専用無線ベアラの属性に含まれる第２の端末デバイスの識別子を決定し、専用無線ベアラは、ネットワーク側デバイスと第１の端末デバイスとの間の無線ベアラであり、専用無線ベアラの属性に含まれる第２の端末デバイスの識別子に基づいて、セキュア伝送モード要求を第２の端末デバイスに転送するステップ、又は
セキュア伝送モード要求が第２の端末デバイスの識別子を更に搬送する場合、第１の端末デバイスにより、セキュア伝送モード要求で搬送された第２の端末デバイスの識別子に基づいて、セキュア伝送モード要求を第２の端末デバイスに転送するステップ
を含む。
【００３１】
この実施例では、第１の端末デバイスは、ネットワーク側デバイスにより送信されたシグナリングが第１の端末デバイスに属するか、或いはシグナリングが第２の端末デバイスに中継される必要があるかを区別できる。
【００３２】
可能な実現方式では、第１の端末デバイス及び第２の端末デバイスは、デバイス対デバイスD2Dプロトコル、ブルートゥースプロトコル又はワイヤレスフィデリティWi-Fiプロトコルを使用することにより、互いに無線接続を確立する。
【００３３】
第３の態様によれば、本発明の実施例は、セキュリティパラメータ伝送方法を更に提供し、
第２の端末デバイスにより、無線リソース接続管理シグナリングを第１の端末デバイスに送信し、それにより、第１の端末デバイスは、無線リソース接続管理シグナリングの宛先がネットワーク側デバイスであると決定した後に、無線リソース接続管理シグナリングをネットワーク側デバイスに転送するステップであり、第１の端末デバイスは、中継機能を有するステップと、
第２の端末デバイスにより、第１の端末デバイスを使用することにより、ネットワーク側デバイスにより返信されたセキュリティパラメータを受信するステップであり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得されるステップと
を含む。
【００３４】
この実施例では、第２の端末デバイスは、ネットワーク側デバイスからセキュリティパラメータを取得するために、第１の端末デバイスの中継機能を使用する。
【００３５】
可能な実現方式では、無線リソース接続管理シグナリングは、第２の端末デバイスの識別子を搬送する。
【００３６】
可能な実現方式では、第２の端末デバイスにより、無線リソース接続管理シグナリングを第１の端末デバイスに送信することは、
第２の端末デバイスにより、専用エアインタフェースリソースを使用することにより、無線リソース接続管理シグナリングを第１の端末デバイスに送信するステップであり、専用エアインタフェースリソースは、第２の端末デバイスのシグナリングをネットワーク側デバイスに転送するように命令するために使用されるステップ、又は
第２の端末デバイスにより、転送命令情報を無線リソース接続管理シグナリングに追加した後に、無線リソース接続管理シグナリングを第１の端末デバイスに送信するステップであり、転送命令情報は、第２の端末デバイスのシグナリングをネットワーク側デバイスに転送するように命令するために使用されるステップ
を含む。
【００３７】
可能な実現方式では、第１の端末デバイス及び第２の端末デバイスは、デバイス対デバイスD2Dプロトコル、ブルートゥースプロトコル又はワイヤレスフィデリティWi-Fiプロトコルを使用することにより、互いに無線接続を確立する。
【００３８】
第４の態様によれば、本発明の実施例は、セキュリティパラメータ伝送のための無線ベアラを設定するための方法を更に提供し、
ネットワーク側デバイスにより、無線ベアラ設定シグナリングを第１の端末デバイスに送信するステップであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有するステップと、
ネットワーク側デバイスにより、第１の端末デバイスにより返信された無線ベアラ設定完了シグナリングを受信するステップであり、無線ベアラ設定完了シグナリングは、第２の端末デバイスの無線リソース接続管理シグナリングを伝送するための専用無線ベアラの設定が完了したことを示すために使用されるステップと
を含む。
【００３９】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【００４０】
第５の態様によれば、本発明の実施例は、セキュリティパラメータ伝送のための無線ベアラを設定するための方法を提供し、
第１の端末デバイスにより、ネットワーク側デバイスにより送信された無線ベアラ設定シグナリングを受信するステップであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有するステップと、
第１の端末デバイスにより、無線ベアラ設定シグナリングに基づいて、第２の端末デバイスの無線リソース接続管理シグナリングを転送するための専用無線ベアラを設定した後に、無線ベアラ設定完了シグナリングをネットワーク側デバイスに返信するステップであり、無線ベアラ設定完了シグナリングは、第２の端末デバイスの無線リソース接続管理シグナリングを伝送するための専用無線ベアラの設定が完了したことを示すために使用されるステップと
を含む。
【００４１】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【００４２】
第６の態様によれば、本発明の実施例は、ネットワーク側デバイスを更に提供し、
第１の端末デバイスにより送信された無線リソース接続管理シグナリングを受信するように構成された受信モジュールであり、第１の端末デバイスは、中継機能を有し、無線リソース接続管理シグナリングは、第２の端末デバイスにより第１の端末デバイスに送信される受信モジュールと、
受信モジュールにより受信された無線リソース接続管理シグナリングを生成した第２の端末デバイスの識別子を決定し、第２の端末デバイスの識別子に対応するセキュリティパラメータを取得するように構成された処理モジュールと、
第１の端末デバイスを使用することにより、取得されたセキュリティパラメータを第２の端末デバイスに送信するように構成された送信モジュールと
を含む。
【００４３】
可能な実現方式では、無線リソース接続管理シグナリングは、第２の端末デバイスの識別子を搬送する。
【００４４】
可能な実現方式では、処理モジュールは、
無線リソース接続管理シグナリングを伝送するための専用無線ベアラの識別子を決定し、専用無線ベアラの識別子と第２の端末デバイスの識別子との間の対応関係に基づいて、無線リソース接続管理シグナリングを伝送するための専用無線ベアラの識別子に対応する第２の端末デバイスの識別子が、無線リソース接続管理シグナリングを生成した第２の端末デバイスの識別子であると決定し、専用無線ベアラは、ネットワーク側デバイスと第１の端末デバイスとの間の無線ベアラであるか、或いは
無線リソース接続管理シグナリングで搬送されたシグナリング送信元指示情報を取得し、シグナリング送信元指示情報に基づいて、無線リソース接続管理シグナリングが第２の端末デバイスにより生成されたと決定し、無線リソース接続管理シグナリングに基づいて、第２の端末デバイスの識別子を決定し、シグナリング送信元指示情報は、無線リソース接続管理シグナリングが第２の端末デバイスにより生成されたことを示すために使用される
ように具体的に構成される。
【００４５】
可能な実現方式では、送信モジュールは、
受信モジュールが第１の端末デバイスにより送信された無線リソース接続管理シグナリングを受信する前に、無線ベアラ設定シグナリングを第１の端末デバイスに送信するように更に構成され、無線ベアラ設定シグナリングは、第２の端末デバイスの無線リソース接続管理シグナリングを伝送するために設定されるべき専用無線ベアラの識別子を少なくとも含み、
受信モジュールは、
第１の端末デバイスにより返信された無線ベアラ設定完了シグナリングを受信するように更に構成され、無線ベアラ設定完了シグナリングは、第２の端末デバイスの無線リソース接続管理シグナリングを伝送するための専用無線ベアラの設定が完了したことを示すために使用される。
【００４６】
可能な実現方式では、処理モジュールは、
セキュア伝送モード要求を生成するように具体的に構成され、セキュア伝送モード要求は、セキュリティパラメータを搬送し、
送信モジュールは、
処理モジュールにより生成されたセキュア伝送モード要求を第１の端末デバイスに送信するように具体的に構成され、それにより、第１の端末デバイスは、セキュア伝送モード要求を第２の端末デバイスに転送する。
【００４７】
可能な実現方式では、セキュア伝送モード要求を搬送する専用無線ベアラの属性は、第２の端末デバイスの識別子を含み、専用無線ベアラは、ネットワーク側デバイスと第１の端末デバイスとの間の無線ベアラであり、第１の端末デバイスは、専用無線ベアラの属性に含まれる第２の端末デバイスの識別子に基づいて、セキュア伝送モード要求を第２の端末デバイスに転送するか、或いは
セキュア伝送モード要求は、第２の端末デバイスの識別子を更に搬送し、第１の端末デバイスは、セキュア伝送モード要求で搬送された第２の端末デバイスの識別子に基づいて、セキュア伝送モード要求を第２の端末デバイスに転送する。
【００４８】
可能な実現方式では、セキュリティパラメータが第２の端末デバイスとネットワーク側デバイスとの間でデータを伝送するために使用されるときに、暗号化及び／又は解読及び／又はインテグリティ保護及び／又はインテグリティ保護検査がデータに対して実行される。
【００４９】
第７の態様によれば、本発明の実施例は、端末デバイスを更に提供し、端末デバイスは、中継機能を有する第１の端末デバイスであり、
第２の端末デバイスの無線リソース接続管理シグナリングの宛先がネットワーク側デバイスであると決定された後に、無線リソース接続管理シグナリングをネットワーク側デバイスに送信するように送信モジュールに対して命令するように構成された第１の処理モジュールと、
受信モジュールを使用することにより、無線リソース接続管理シグナリングに基づいてネットワーク側デバイスにより返信されたセキュリティパラメータを受信し、セキュリティパラメータを第２の端末デバイスに転送するように送信モジュールに対して命令するように構成された第２の処理モジュールであり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得される第２の処理モジュールと
を含む。
【００５０】
可能な実現方式では、無線リソース接続管理シグナリングは、第２の端末デバイスの識別子を搬送する。
【００５１】
可能な実現方式では、第１の処理モジュールは、
専用エアインタフェースリソースを使用することにより、受信モジュールが第２の端末デバイスにより送信された無線リソース接続管理シグナリングを受信したと決定した場合、無線リソース接続管理シグナリングの宛先がネットワーク側デバイスであると決定し、専用エアインタフェースリソースは、第２の端末デバイスのシグナリングをネットワーク側デバイスに転送するように第１の端末デバイスに対して命令するために使用されるか、或いは
無線リソース接続管理シグナリングが転送命令情報を搬送すると決定し、転送命令情報に基づいて、無線リソース接続管理シグナリングの宛先がネットワーク側デバイスであると決定し、転送命令情報は、第２の端末デバイスのシグナリングをネットワーク側デバイスに転送するように命令するために使用される
ように具体的に構成される。
【００５２】
可能な実現方式では、第１の処理モジュールは、
第２の端末デバイスの識別子と専用無線ベアラの識別子との間の対応関係に基づいて、無線リソース接続管理シグナリングを生成した第２の端末デバイスの識別子に対応する専用無線ベアラの識別子を決定し、専用無線ベアラの識別子に基づいて、無線リソース接続管理シグナリングをネットワーク側デバイスに送信するように送信モジュールに対して命令し、専用無線ベアラは、ネットワーク側デバイスと第１の端末デバイスとの間の無線ベアラであるか、或いは
シグナリング送信元指示情報が無線リソース接続管理シグナリングに追加された後に、無線リソース接続管理シグナリングをネットワーク側デバイスに送信するように送信モジュールに対して命令し、シグナリング送信元指示情報は、無線リソース接続管理シグナリングが第２の端末デバイスにより生成されたことを示すために使用される
ように具体的に構成される。
【００５３】
可能な実現方式では、第１の処理モジュールは、
第２の端末デバイスの識別子と専用無線ベアラの識別子との間の対応関係に基づいて、無線リソース接続管理シグナリングを生成した第２の端末デバイスの識別子に対応する専用無線ベアラの識別子を決定する前に、受信モジュールを使用することにより、ネットワーク側デバイスにより送信された無線ベアラ設定シグナリングを受信し、無線ベアラ設定シグナリングは、第２の端末デバイスの無線リソース接続管理シグナリングを伝送するために設定されるべき専用無線ベアラの識別子を少なくとも含み、
第２の端末デバイスの無線リソース接続管理シグナリングを転送するための専用無線ベアラが無線ベアラ設定シグナリングに基づいて設定された後に、無線ベアラ設定完了シグナリングをネットワーク側デバイスに返信するように送信モジュールに対して命令し、無線ベアラ設定完了シグナリングは、第２の端末デバイスの無線リソース接続管理シグナリングを伝送するための専用無線ベアラの設定が完了したことを示すために使用される
ように更に構成される。
【００５４】
可能な実現方式では、第２の処理モジュールは、
受信モジュールを使用することにより、ネットワーク側デバイスにより返信されたセキュア伝送モード要求を受信し、セキュア伝送モード要求は、セキュリティパラメータを搬送し、
セキュア伝送モード要求を第２の端末デバイスに転送するように送信モジュールに対して命令する
ように具体的に構成される。
【００５５】
可能な実現方式では、第２の処理モジュールは、
セキュア伝送モード要求を搬送する専用無線ベアラの属性に含まれる第２の端末デバイスの識別子を決定し、専用無線ベアラは、ネットワーク側デバイスと第１の端末デバイスとの間の無線ベアラであり、送信モジュールを使用することにより、専用無線ベアラの属性に含まれる第２の端末デバイスの識別子に基づいて、セキュア伝送モード要求を第２の端末デバイスに転送するか、或いは
セキュア伝送モード要求が第２の端末デバイスの識別子を更に搬送する場合、送信モジュールを使用することにより、セキュア伝送モード要求で搬送された第２の端末デバイスの識別子に基づいて、セキュア伝送モード要求を第２の端末デバイスに転送する
ように具体的に構成される。
【００５６】
可能な実現方式では、第１の端末デバイス及び第２の端末デバイスは、デバイス対デバイスD2Dプロトコル、ブルートゥースプロトコル又はワイヤレスフィデリティWi-Fiプロトコルを使用することにより、互いに無線接続を確立する。
【００５７】
第８の態様によれば、本発明の実施例は、端末デバイスを提供し、
無線リソース接続管理シグナリングを第１の端末デバイスに送信するように構成された送信モジュールであり、それにより、第１の端末デバイスは、無線リソース接続管理シグナリングの宛先がネットワーク側デバイスであると決定した後に、無線リソース接続管理シグナリングをネットワーク側デバイスに転送し、第１の端末デバイスは、中継機能を有する送信モジュールと、
第１の端末デバイスを使用することにより、ネットワーク側デバイスにより返信されたセキュリティパラメータを受信するように構成された受信モジュールであり、セキュリティパラメータは、ネットワーク側デバイスが無線リソース接続管理シグナリングを生成した端末デバイスの識別子を決定した後に、端末デバイスの識別子に基づいてネットワーク側デバイスにより取得される受信モジュールと
を含む。
【００５８】
可能な実現方式では、無線リソース接続管理シグナリングは、端末デバイスの識別子を搬送する。
【００５９】
可能な実現方式では、送信モジュールは、
専用エアインタフェースリソースを使用することにより、無線リソース接続管理シグナリングを第１の端末デバイスに送信し、専用エアインタフェースリソースは、端末デバイスのシグナリングをネットワーク側デバイスに転送するように命令するために使用されるか、或いは
転送命令情報が無線リソース接続管理シグナリングに追加された後に、無線リソース接続管理シグナリングを第１の端末デバイスに送信し、転送命令情報は、端末デバイスのシグナリングをネットワーク側デバイスに転送するように命令するために使用される
ように具体的に構成される。
【００６０】
可能な実現方式では、第１の端末デバイス及び端末デバイスは、デバイス対デバイスD2Dプロトコル、ブルートゥースプロトコル又はワイヤレスフィデリティWi-Fiプロトコルを使用することにより、互いに無線接続を確立する。
【００６１】
第９の態様によれば、本発明の実施例は、ネットワーク側デバイスを更に提供し、
無線ベアラ設定シグナリングを第１の端末デバイスに送信するように構成された送信モジュールであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有する送信モジュールと、
第１の端末デバイスにより返信された無線ベアラ設定完了シグナリングを受信するように構成された受信モジュールであり、無線ベアラ設定完了シグナリングは、第２の端末デバイスの無線リソース接続管理シグナリングを伝送するための専用無線ベアラの設定が完了したことを示すために使用される受信モジュールと
を含む。
【００６２】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【００６３】
第１０の態様によれば、本発明の実施例は、端末デバイスを更に提供し、端末デバイスは、中継機能を有する第１の端末デバイスであり、
ネットワーク側デバイスにより送信された無線ベアラ設定シグナリングを受信するように構成された受信モジュールであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラである受信モジュールと、
第２の端末デバイスの無線リソース接続管理シグナリングを転送するための専用無線ベアラが無線ベアラ設定シグナリングに基づいて設定された後に、無線ベアラ設定完了シグナリングをネットワーク側デバイスに返信するように構成された送信モジュールであり、無線ベアラ設定完了シグナリングは、第２の端末デバイスの無線リソース接続管理シグナリングを伝送するための専用無線ベアラの設定が完了したことを示すために使用される送信モジュールと
を含む。
【００６４】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【００６５】
第１１の態様によれば、本発明の実施例は、プロセッサと、メモリと、トランシーバとを含むネットワーク側デバイスを提供する。トランシーバは、プロセッサの制御でデータを受信及び送信するように構成され、メモリは、予め設定されたプログラムを記憶し、プロセッサは、メモリに記憶されたプログラムを読み取り、プログラムに基づいて以下のプロセス、すなわち、
トランシーバを使用することにより、第１の端末デバイスにより送信された無線リソース接続管理シグナリングを受信するプロセスであり、第１の端末デバイスは、中継機能を有し、無線リソース接続管理シグナリングは、第２の端末デバイスにより第１の端末デバイスに送信されるプロセスと、
無線リソース接続管理シグナリングを生成した第２の端末デバイスの識別子を決定し、第２の端末デバイスの識別子に対応するセキュリティパラメータを取得するプロセスと、
第１の端末デバイスを使用することにより、取得されたセキュリティパラメータを第２の端末デバイスに送信するようにトランシーバに対して命令するプロセスと
を実行するように構成される。
【００６６】
可能な実現方式では、無線リソース接続管理シグナリングは、第２の端末デバイスの識別子を搬送する。
【００６７】
可能な実現方式では、プロセッサは、無線リソース接続管理シグナリングを伝送するための専用無線ベアラの識別子を決定し、専用無線ベアラの識別子と第２の端末デバイスの識別子との間の対応関係に基づいて、無線リソース接続管理シグナリングを伝送するための専用無線ベアラの識別子に対応する第２の端末デバイスの識別子が、無線リソース接続管理シグナリングを生成した第２の端末デバイスの識別子であると決定し、専用無線ベアラは、ネットワーク側デバイスと第１の端末デバイスとの間の無線ベアラであるか、或いは
プロセッサは、無線リソース接続管理シグナリングで搬送されたシグナリング送信元指示情報を取得し、シグナリング送信元指示情報に基づいて、無線リソース接続管理シグナリングが第２の端末デバイスにより生成されたと決定し、無線リソース接続管理シグナリングに基づいて、第２の端末デバイスの識別子を決定し、シグナリング送信元指示情報は、無線リソース接続管理シグナリングが第２の端末デバイスにより生成されたことを示すために使用される。
【００６８】
可能な実現方式では、プロセッサは、トランシーバを使用することにより、第１の端末デバイスにより送信された無線リソース接続管理シグナリングを受信する前に、無線ベアラ設定シグナリングを第１の端末デバイスに送信し、無線ベアラ設定シグナリングは、第２の端末デバイスの無線リソース接続管理シグナリングを伝送するために設定されるべき専用無線ベアラの識別子を少なくとも含み、
プロセッサは、トランシーバを使用することにより、第１の端末デバイスにより返信された無線ベアラ設定完了シグナリングを受信し、無線ベアラ設定完了シグナリングは、第２の端末デバイスの無線リソース接続管理シグナリングを伝送するための専用無線ベアラの設定が完了したことを示すために使用される。
【００６９】
可能な実現方式では、プロセッサは、セキュア伝送モード要求を生成し、セキュア伝送モード要求は、セキュリティパラメータを搬送し、生成されたセキュア伝送モード要求を第１の端末デバイスに送信するようにトランシーバに対して命令し、それにより、第１の端末デバイスは、セキュア伝送モード要求を第２の端末デバイスに転送する。
【００７０】
可能な実現方式では、セキュア伝送モード要求を搬送する専用無線ベアラの属性は、第２の端末デバイスの識別子を含み、専用無線ベアラは、ネットワーク側デバイスと第１の端末デバイスとの間の無線ベアラであり、第１の端末デバイスは、専用無線ベアラの属性に含まれる第２の端末デバイスの識別子に基づいて、セキュア伝送モード要求を第２の端末デバイスに転送するか、或いは
セキュア伝送モード要求は、第２の端末デバイスの識別子を更に搬送し、第１の端末デバイスは、セキュア伝送モード要求で搬送された第２の端末デバイスの識別子に基づいて、セキュア伝送モード要求を第２の端末デバイスに転送する。
【００７１】
可能な実現方式では、セキュリティパラメータが第２の端末デバイスとネットワーク側デバイスとの間でデータを伝送するために使用されるときに、暗号化及び／又は解読及び／又はインテグリティ保護及び／又はインテグリティ保護検査がデータに対して実行される。
【００７２】
第１２の態様によれば、本発明の実施例は、端末デバイスを更に提供し、端末デバイスは、中継機能を有する第１の端末デバイスであり、プロセッサと、メモリと、トランシーバとを含む。トランシーバは、プロセッサの制御でデータを受信及び送信するように構成され、メモリは、予め設定されたプログラムを記憶し、プロセッサは、メモリに記憶されたプログラムを読み取り、プログラムに基づいて以下のプロセス、すなわち、
第２の端末デバイスの無線リソース接続管理シグナリングの宛先がネットワーク側デバイスであると決定された後に、無線リソース接続管理シグナリングをネットワーク側デバイスに送信するようにトランシーバに対して命令するプロセスと、
トランシーバを使用することにより、無線リソース接続管理シグナリングに基づいてネットワーク側デバイスにより返信されたセキュリティパラメータを受信し、セキュリティパラメータを第２の端末デバイスに転送するようにトランシーバに対して命令するプロセスであり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得されるプロセスと
を実行するように構成される。
【００７３】
可能な実現方式では、無線リソース接続管理シグナリングは、第２の端末デバイスの識別子を搬送する。
【００７４】
可能な実現方式では、トランシーバが、専用エアインタフェースリソースを使用することにより、第２の端末デバイスにより送信された無線リソース接続管理シグナリングを受信したと決定した場合、プロセッサは、無線リソース接続管理シグナリングの宛先がネットワーク側デバイスであると決定し、専用エアインタフェースリソースは、第２の端末デバイスのシグナリングをネットワーク側デバイスに転送するように第１の端末デバイスに対して命令するために使用されるか、或いは
プロセッサは、無線リソース接続管理シグナリングが転送命令情報を搬送すると決定し、転送命令情報に基づいて、無線リソース接続管理シグナリングの宛先がネットワーク側デバイスであると決定し、転送命令情報は、第２の端末デバイスのシグナリングをネットワーク側デバイスに転送するように命令するために使用される。
【００７５】
可能な実現方式では、プロセッサは、第２の端末デバイスの識別子と専用無線ベアラの識別子との間の対応関係に基づいて、無線リソース接続管理シグナリングを生成した第２の端末デバイスの識別子に対応する専用無線ベアラの識別子を決定し、専用無線ベアラの識別子に基づいて、無線リソース接続管理シグナリングをネットワーク側デバイスに送信するようにトランシーバに対して命令し、専用無線ベアラは、ネットワーク側デバイスと第１の端末デバイスとの間の無線ベアラであるか、或いは
シグナリング送信元指示情報が無線リソース接続管理シグナリングに追加された後に、プロセッサは、無線リソース接続管理シグナリングをネットワーク側デバイスに送信するようにトランシーバに対して命令し、シグナリング送信元指示情報は、無線リソース接続管理シグナリングが第２の端末デバイスにより生成されたことを示すために使用される。
【００７６】
可能な実現方式では、第２の端末デバイスの識別子と専用無線ベアラの識別子との間の対応関係に基づいて、無線リソース接続管理シグナリングを生成した第２の端末デバイスの識別子に対応する専用無線ベアラの識別子を決定する前に、プロセッサは、トランシーバを使用することにより、ネットワーク側デバイスにより送信された無線ベアラ設定シグナリングを受信し、無線ベアラ設定シグナリングは、第２の端末デバイスの無線リソース接続管理シグナリングを伝送するために設定されるべき専用無線ベアラの識別子を少なくとも含み、
第２の端末デバイスの無線リソース接続管理シグナリングを転送するための専用無線ベアラが無線ベアラ設定シグナリングに基づいて設定された後に、プロセッサは、無線ベアラ設定完了シグナリングをネットワーク側デバイスに返信するようにトランシーバに対して命令し、無線ベアラ設定完了シグナリングは、第２の端末デバイスの無線リソース接続管理シグナリングを伝送するための専用無線ベアラの設定が完了したことを示すために使用される。
【００７７】
可能な実現方式では、プロセッサは、トランシーバを使用することにより、ネットワーク側デバイスにより返信されたセキュア伝送モード要求を受信し、セキュア伝送モード要求は、セキュリティパラメータを搬送し、プロセッサは、セキュア伝送モード要求を第２の端末デバイスに転送するようにトランシーバに対して命令する。
【００７８】
可能な実現方式では、プロセッサは、セキュア伝送モード要求を搬送する専用無線ベアラの属性に含まれる第２の端末デバイスの識別子を決定し、専用無線ベアラは、ネットワーク側デバイスと第１の端末デバイスとの間の無線ベアラであり、トランシーバを使用することにより、専用無線ベアラの属性に含まれる第２の端末デバイスの識別子に基づいて、セキュア伝送モード要求を第２の端末デバイスに転送するか、或いは
セキュア伝送モード要求が第２の端末デバイスの識別子を更に搬送する場合、プロセッサは、トランシーバを使用することにより、セキュア伝送モード要求で搬送された第２の端末デバイスの識別子に基づいて、セキュア伝送モード要求を第２の端末デバイスに転送する。
【００７９】
可能な実現方式では、第１の端末デバイス及び第２の端末デバイスは、デバイス対デバイスD2Dプロトコル、ブルートゥースプロトコル又はワイヤレスフィデリティWi-Fiプロトコルを使用することにより、互いに無線接続を確立する。
【００８０】
第１３の態様によれば、本発明の実施例は、プロセッサと、メモリと、トランシーバとを含む他の端末デバイスを更に提供する。トランシーバは、プロセッサの制御でデータを受信及び送信するように構成され、メモリは、予め設定されたプログラムを記憶し、プロセッサは、メモリに記憶されたプログラムを読み取り、プログラムに基づいて以下のプロセス、すなわち、
無線リソース接続管理シグナリングを第１の端末デバイスに送信するようにトランシーバに対して命令し、それにより、第１の端末デバイスは、無線リソース接続管理シグナリングの宛先がネットワーク側デバイスであると決定した後に、無線リソース接続管理シグナリングをネットワーク側デバイスに転送するプロセスであり、第１の端末デバイスは、中継機能を有するプロセスと、
トランシーバを使用することにより、第１の端末デバイスを使用することにより、ネットワーク側デバイスにより返信されたセキュリティパラメータを受信するプロセスであり、セキュリティパラメータは、ネットワーク側デバイスが無線リソース接続管理シグナリングを生成した端末デバイスの識別子を決定した後に、端末デバイスの識別子に基づいてネットワーク側デバイスにより取得されるプロセスと
を実行するように構成される。
【００８１】
可能な実現方式では、無線リソース接続管理シグナリングは、端末デバイスの識別子を搬送する。
【００８２】
可能な実現方式では、プロセッサは、専用エアインタフェースリソースを使用することにより、無線リソース接続管理シグナリングを第１の端末デバイスに送信するようにトランシーバに対して命令し、専用エアインタフェースリソースは、端末デバイスのシグナリングをネットワーク側デバイスに転送するように命令するために使用されるか、或いは
転送命令情報が無線リソース接続管理シグナリングに追加された後に、プロセッサは、無線リソース接続管理シグナリングを第１の端末デバイスに送信するようにトランシーバに対して命令し、転送命令情報は、第２の端末デバイスのシグナリングをネットワーク側デバイスに転送するように命令するために使用される。
【００８３】
可能な実現方式では、第１の端末デバイス及び端末デバイスは、デバイス対デバイスD2Dプロトコル、ブルートゥースプロトコル又はワイヤレスフィデリティWi-Fiプロトコルを使用することにより、互いに無線接続を確立する。
【００８４】
第１４の態様によれば、本発明の実施例は、プロセッサと、メモリと、トランシーバとを含む他のネットワーク側デバイスを更に提供する。トランシーバは、プロセッサの制御でデータを受信及び送信するように構成され、メモリは、予め設定されたプログラムを記憶し、プロセッサは、メモリに記憶されたプログラムを読み取り、プログラムに基づいて以下のプロセス、すなわち、
無線ベアラ設定シグナリングを第１の端末デバイスに送信するようにトランシーバに対して命令するプロセスであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有するプロセスと、
第１の端末デバイスにより返信された無線ベアラ設定完了シグナリングを受信するようにトランシーバに対して命令するプロセスであり、無線ベアラ設定完了シグナリングは、第２の端末デバイスの無線リソース接続管理シグナリングを伝送するための専用無線ベアラの設定が完了したことを示すために使用されるプロセスと
を実行するように構成される。
【００８５】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【００８６】
第１５の態様によれば、本発明の実施例は、他の端末デバイスを更に提供し、端末デバイスは、中継機能を有する第１の端末デバイスであり、プロセッサと、メモリと、トランシーバとを含む。トランシーバは、プロセッサの制御でデータを受信及び送信するように構成され、メモリは、予め設定されたプログラムを記憶し、プロセッサは、メモリに記憶されたプログラムを読み取り、プログラムに基づいて以下のプロセス、すなわち、
トランシーバを使用することにより、ネットワーク側デバイスにより送信された無線ベアラ設定シグナリングを受信するプロセスであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであるプロセスと、
第２の端末デバイスの無線リソース接続管理シグナリングを転送するための専用無線ベアラが無線ベアラ設定シグナリングに基づいて設定された後に、トランシーバを使用することにより、無線ベアラ設定完了シグナリングをネットワーク側デバイスに返信するプロセスであり、無線ベアラ設定完了シグナリングは、第２の端末デバイスの無線リソース接続管理シグナリングを伝送するための専用無線ベアラの設定が完了したことを示すために使用されるプロセスと
を実行するように構成される。
【００８７】
可能な実現方式では、無線ベアラ設定シグナリングは、以下のもの、すなわち、
設定されるべき専用無線ベアラが第２の端末デバイスのデータを中継するために使用されることを示すために使用される中継指示情報、
設定されるべき専用無線ベアラが第２の端末デバイス識別子又は第２の端末デバイス識別子リストにより示される第２の端末デバイスのデータを伝送するために使用されることを示すために使用される第２の端末デバイス識別子又は第２の端末デバイス識別子リスト、
無線リンク制御レイヤの設定パラメータ、
設定されるべき専用無線ベアラの論理チャネルグループを示すために使用される媒体アクセス制御MAC設定情報、及び
一時セル無線ネットワーク一時識別子CRNTIリスト
のうちいずれか１つ又は組み合わせを更に含む。
【図面の簡単な説明】
【００８８】
【図１】D2D配置におけるセル内カバレッジのシナリオの概略図である。
【図２】D2D配置における部分カバレッジのシナリオの概略図である。
【図３】D2D配置における非ネットワークカバレッジのシナリオの概略図である。
【図４】D2D配置におけるセル間カバレッジのシナリオの概略図である。
【図５】ネットワークのカバレッジ外でUEによりネットワークへの接続を確立する概略図である。
【図６】本発明の実施例による制御プレーンのプロトコルスタックの概略アーキテクチャ図である。
【図７】本発明の実施例によるユーザプレーンのプロトコルスタックの概略アーキテクチャ図である。
【図８】本発明の実施例によるセキュリティパラメータ伝送方法の概略フローチャートである。
【図９】本発明の実施例によるD2DメッセージのMAC  PDUの一部の概略構成図である。
【図１０】本発明の実施例によるセキュリティパラメータ伝送プロセスの概略図である。
【図１１】本発明の実施例に従ってネットワーク側デバイスと第１の端末デバイスとの間に専用無線ベアラを設定するプロセスの概略図である。
【図１２】本発明の実施例によるネットワーク側デバイスの概略構成図である。
【図１３】本発明の実施例による他のネットワーク側デバイスの概略構成図である。
【図１４】本発明の実施例による端末デバイスの概略構成図である。
【図１５】本発明の実施例による他の端末デバイスの概略構成図である。
【図１６】本発明の実施例による他の端末デバイスの概略構成図である。
【図１７】本発明の実施例による他の端末デバイスの概略構成図である。
【図１８】本発明の実施例による他のネットワーク側デバイスの概略構成図である。
【図１９】本発明の実施例による他のネットワーク側デバイスの概略構成図である。
【図２０】本発明の実施例による他の端末デバイスの概略構成図である。
【図２１】本発明の実施例による他の端末デバイスの概略構成図である。
【発明を実施するための形態】
【００８９】
本発明の目的、技術的解決策及び利点をより明確にするために、以下に、添付図面を参照して本発明について詳細に更に説明する。明らかに、説明する実施例は、本発明の実施例の全部ではなく、単なる一部である。創造的取り組みなしに本発明の実施例に基づいて当業者により取得される全ての他の実施例は、本発明の保護範囲内に入るものとする。
【００９０】
以下の実施例では、ロングタームエボリューション（Long  Term  Evolution,  LTE）システムが説明のための例として使用される。本発明において提供される実施例は、LTEシステムに限定されず、他のシステムにも適用され得る点に留意すべきである。
【００９１】
以下の実施例では、第２の端末デバイスは、ネットワーク側デバイスと通信するための中継器として第１の端末デバイスを使用する必要があるデバイス、すなわち、リモートデバイスとして規定される。例えば、第２の端末デバイスは、ウェアラブル装置である。第１の端末デバイスは、中継機能を有し、中継端末と呼ばれてもよい。第２の端末デバイスは、ウェアラブル装置を含むが、これに限定されない。具体的には、ウェアラブル装置は、人間の身体に装着される通信デバイスであり、小型サイズ及び低バッテリ能力を特徴とする。ウェアラブル装置は、セルラネットワークに直接接続されてもよく、或いは近くのUEを中継器として使用することによりセルラネットワークに接続されてもよい。
【００９２】
直接セルラ接続モードの第２の端末デバイスとセルラネットワークとの間の通信のセキュリティ問題を解決するために、第２の端末デバイスがネットワークにアクセスするアーキテクチャが提供される。このアーキテクチャでは、第１の端末デバイスは、第２の端末デバイスのメッセージをネットワーク側デバイスに転送し、第１の端末デバイスは、ネットワーク側デバイスのメッセージを第２の端末デバイスに転送する。転送プロセスにおいて、第１の端末デバイスは、第２の端末デバイスとネットワーク側デバイスとの間でメッセージを転送することのみに制限され、第１の端末デバイスとネットワークデバイスとの間で転送されるメッセージを解読できない。
【００９３】
このアーキテクチャに基づいて、簡略化された無線リソース制御（Radio  Resource  Control,  RRC）接続が第２の端末デバイスとネットワーク側デバイスとの間に確立され、ネットワーク側デバイスは、第２の端末デバイスのセキュリティパラメータを第２の端末デバイスに伝送し、ネットワーク側デバイスによる第２のデバイスに対する管理を実現し、ネットワーク側デバイス及び第２の端末デバイスによる伝送されるメッセージのセキュリティ保護を実現する。
【００９４】
セキュリティパラメータが第２の端末デバイスとネットワーク側デバイスとの間でデータを伝送するために使用されるときに、暗号化及び／又は解読及び／又はインテグリティ保護及び／又はインテグリティ保護検査がデータに対して実行される。
【００９５】
図６は、第２の端末デバイスと第１の端末デバイスと基地局（eNB）との間の制御プレーンのプロトコルスタックの概略図であり、図７は、第２の端末デバイスと第１の端末デバイスと基地局（eNB）との間のユーザプレーンのプロトコルスタックの概略図である。第２の端末デバイスとeNBとの間で使用される制御プレーンのプロトコルスタック及びユーザプレーンのプロトコルスタックのアーキテクチャは、eNBが第２の端末デバイスを直接管理することを可能にでき、それにより、eNBは、第２の端末デバイスのためのRRC接続の制御プレーン及びデータプレーンのパラメータを設定でき、例えば、第２の端末デバイスからeNBに伝送されるデータ及びシグナリングのセキュリティパラメータを設定できる。
【００９６】
具体的には、制御プレーン上で、第２の端末デバイスとeNBとの間にピアツーピアRRCレイヤ及びパケットデータコンバージェンスプロトコル（Packet  Data  Convergence  Protocol,  PDCP）レイヤが存在する。RRCレイヤは、第２の端末デバイスのアクセスリンクのパラメータ設定を管理し、第２の端末デバイスのベアラを確立することを担う。第２の端末デバイスのベアラは、第２の端末デバイスによりeNBにアクセスするための無線ベアラと、eNBからコアネットワークへのベアラとを含む。
【００９７】
ユーザプレーン上で、上りリンクデータについて、第２の端末デバイスは、PDCPレイヤ上の上位レイヤのインターネットプロトコル（Internet  Protocol,  IP）データパケットを処理し、次に、第１の端末デバイスは、処理されたデータパケットをeNBに転送する。下りリンクデータについて、eNBは、処理のためにコアネットワークのデータパケットをPDCPレイヤに送信し、次に、第１の端末デバイスは、処理されたデータパケットを第２の端末デバイスに転送する。
【００９８】
制御プレーンのプロトコルスタック及びユーザプレーンのプロトコルスタックが使用される。モビリティ管理エンティティ（Mobility  Management  Entity,  MME）、サービングゲートウェイ（Serving  Gateway,  SGW）又はパケットデータゲートウェイ（Packet  Gateway,  PGW）のようなコアネットワークデバイスについて、第２の端末デバイスは、UUインタフェースを使用することによりeNBに直接接続され、それにより、コアネットワークの整合性が維持できる。さらに、第２の端末デバイスが第１の端末デバイスから比較的遠く離れているときに、第２の端末デバイスがUUインタフェースを使用することによりeNBに直接接続された場合、eNBは、依然として第２の端末デバイスのコンテキストを記憶でき、それにより、サービスデータの伝送能力が迅速に回復でき、モビリティ処理手順が簡略化され、遅延が低減される。eNBについて、第２の端末デバイスのRRCコンテキスト、特にセキュリティパラメータは、eNBにより直接管理され、第２の端末デバイス及びeNBのPDCPレイヤのみが、シグナリング及びデータ伝送のインテグリティ保護、暗号化及び解読に参加し、したがって、中継UEは、第２の端末デバイスのシグナリング及びデータを解読できない。これは、いずれかの第１の端末デバイスを使用することにより、第２の端末デバイスによりeNBと通信するセキュリティを確保する。
【００９９】
本発明において提供される以下の実施例は、第２の端末デバイスとセルラネットワークとの間の安全な通信に必要なセキュリティパラメータの伝送問題に対する解決策を提供する。
【０１００】
本発明の実施例では、セキュリティパラメータ伝送方法が図８に示されており、具体的に以下の通りである。
【０１０１】
ステップ801：第２の端末デバイスは、無線リソース接続管理シグナリングを第１の端末デバイスに送信し、第１の端末デバイスは、中継機能を有する。
【０１０２】
無線リソース接続管理シグナリングは、セキュリティパラメータを取得することを要求するために使用される。
【０１０３】
無線リソース接続管理情報は、RRCシグナリングに属する。
【０１０４】
任意選択で、無線リソース接続管理シグナリングは、第２の端末デバイスの識別子を搬送する。
【０１０５】
実現方式では、第２の端末デバイスは、無線リソース接続管理シグナリングを第１の端末デバイスに送信し、第１の端末デバイスは、無線リソース接続管理情報がネットワーク側デバイスに転送されるべきであると決定する必要がある。これは、以下の２つの実現方式を具体的に含むが、これらに限定されない。
【０１０６】
第１の実現方式では、第２の端末デバイスは、専用エアインタフェースリソースを使用することにより、無線リソース接続管理シグナリングを第１の端末デバイスに送信する。専用エアインタフェースリソースは、第２の端末デバイスのシグナリングをネットワーク側デバイスに転送するために使用される。
【０１０７】
実現方式では、専用エアインタフェースリソースは、専用物理リソース又は専用論理チャネルエンティティでもよい。
【０１０８】
D2D通信が例として使用される。LTE-D2Dの追加された特徴は、専用エアインタフェースリソースを使用することにより、データパケットが第２の端末デバイスと第１の端末デバイスとの間で送信されることを可能にし得る。具体的には、専用ベアラD2D-データ無線ベアラ（Data  Radio  Bearer,  DRB）が第２の端末デバイスと第１の端末デバイスとの間に確立され、D2D-DRBは、第１の端末デバイスにより、第２の端末デバイスのシグナリング又はデータをネットワーク側に転送するために特に使用されるために割り当てられる。すなわち、第１の端末デバイスは、D2D-DRBを使用することにより受信した第２の端末デバイスのシグナリング又はデータを基地局に転送する。ネットワークデバイスのシグナリングの送信宛先が第１の端末デバイスであるときに、第２の端末デバイスは、D2D-DRBを使用することにより、シグナリングを送信する。
【０１０９】
この実現方式では、第１の端末デバイスは、受信したデータパケットを解析する必要はなく、専用エアインタフェースリソースを使用することによりデータパケットを受信するか否かを決定しさえすればよく、それにより、データパケットがネットワーク側デバイスに転送される必要があるか否かを決定する。
【０１１０】
第２の実現方式では、第２の端末デバイスは、転送命令情報を無線リソース接続管理シグナリングに追加することにより、無線リソース接続管理シグナリングを第１の端末デバイスに送信する。転送命令情報は、第２の端末デバイスのシグナリングをネットワーク側デバイスに転送するように第１の端末デバイスに対して命令するために使用される。
【０１１１】
D2D通信が例として使用される。第２の端末デバイス及び第１の端末デバイスが3GPP標準におけるLTE-D2D技術を使用することにより互いに通信するときに、データパケットはLTE-D2Dにおいてブロードキャスト方式で送信されるため、ブロードキャストを通じて第２の端末デバイスにより送信されたデータパケットを受信した後に、第１の端末デバイスは、データパケットが基地局のRRCシグナリングに転送される必要があるか否かを決定できない。したがって、第２の端末デバイスは、ブロードキャストを通じて送信されるD2DメッセージのMAC  PDUに転送命令情報を追加し、D2DメッセージのMAC  PDUで搬送された接続管理情報を基地局に転送するように、D2Dメッセージを受信した第１の端末デバイスに対して命令する。
【０１１２】
図９は、D2DメッセージのMAC  PDUの一部の概略構成図である。具体的な実現方式では、oct1内の２つのRビットは、データパケットが転送される必要があるか否かを示すために使用されてもよい。２つのRビット内で、「00」は受信及び自己処理を示し、「01」は受信及び他のD2D  UEへの転送を示し、「10」は受信及び基地局への転送を示すことを仮定する。より多くの処理種別が存在する場合、転送命令情報を搬送するためにより多くのビットが占有されてもよい。例えば、３つ又は４つのRビットが占有される。oct1内の第３のRビットは、MAC  PDUで搬送されたデータパケットがシグナリングであるか一般的なサービスデータであるかを識別するために使用されてもよい。MAC  PDUで搬送された論理チャネル識別子（Logical  channel  identification,  LCID）は、第１の端末のUUインタフェース上にあり且つ第２の端末デバイスのメッセージを転送するために使用される無線ベアラに対応する論理チャネルグループの識別子である。
【０１１３】
ステップ802：第１の端末デバイスは、無線リソース接続管理シグナリングの宛先がネットワーク側デバイスであると決定した後に、無線リソース接続管理シグナリングをネットワーク側デバイスに転送する。
【０１１４】
実現方式では、ステップ801における２つの実現方式に対応して、どのように第１の端末デバイスが、第２の端末デバイスの無線リソース接続管理シグナリングの宛先がネットワーク側デバイスであると決定するかは、以下の２つの具体的な実現方式を含むが、これらに限定されない。
【０１１５】
第１の実現方式では、無線リソース接続管理シグナリングの宛先は、第２の端末デバイスと第１の端末デバイスとの間で接続管理情報を伝送するために占有される専用エアインタフェースリソースに基づいて決定される。
【０１１６】
具体的には、専用エアインタフェースリソースを使用することにより、第２の端末デバイスにより送信された無線リソース接続管理シグナリングを受信したと決定した場合、第１の端末デバイスは、無線リソース接続管理シグナリングの宛先がネットワーク側デバイスであると決定する。専用エアインタフェースリソースは、第２の端末デバイスのシグナリングをネットワーク側デバイスに転送するように第１の端末デバイスに対して命令するために使用される。
【０１１７】
第２の実現方式では、無線リソース接続管理シグナリングの宛先は、無線リソース接続管理シグナリングで搬送された転送命令情報に基づいて決定される。
【０１１８】
具体的には、第１の端末デバイスは、無線リソース接続管理シグナリングが転送命令情報を搬送すると決定し、転送命令情報に基づいて、無線リソース接続管理シグナリングの宛先がネットワーク側デバイスであると決定する。転送命令情報は、第２の端末デバイスのシグナリングをネットワーク側デバイスに転送するように命令するために使用される。
【０１１９】
実現方式では、第１の端末デバイスは、無線リソース接続管理シグナリングをネットワーク側デバイスに送信し、これは、以下の２つの具体的な実現方式を含むが、これらに限定されない。
【０１２０】
第１の実現方式では、第１の端末デバイスは、第２の端末デバイスの識別子と専用無線ベアラの識別子との間の対応関係に基づいて、無線リソース接続管理シグナリングを生成した第２の端末デバイスの識別子に対応する専用無線ベアラの識別子を決定し、専用無線ベアラの識別子に基づいて、無線リソース接続管理シグナリングをネットワーク側デバイスに送信する。専用無線ベアラは、ネットワーク側デバイスと第１の端末デバイスとの間の無線ベアラである。
【０１２１】
具体的には、第１の端末デバイスとネットワーク側デバイスとの間の専用無線ベアラは、１つの特定の第２の端末デバイスのシグナリングを伝送するために使用されてもよく、或いは複数の第２の端末デバイスのシグナリングを伝送するために使用されてもよい。
【０１２２】
第１の端末デバイスとネットワーク側デバイスとの間の専用無線ベアラが１つの第２の端末デバイスのシグナリングを搬送するために特に使用される場合、第２の端末デバイスの識別子と専用無線ベアラの識別子との間の対応関係に基づいて、第１の端末デバイスは、第２の端末デバイスの識別子に基づいて、専用無線ベアラを一意に決定してもよく、専用無線ベアラは、第２の端末デバイスに特に使用され、ネットワーク側デバイスは、専用無線ベアラの識別子に基づいて、第２の端末デバイスを一意に決定してもよい。
【０１２３】
第１の端末デバイスとネットワーク側デバイスとの間の専用無線ベアラが複数の第２の端末デバイスのシグナリングを搬送するために使用される場合、第１の端末デバイスは、第２の端末デバイスの識別子に基づいて、専用無線ベアラを一意に決定してもよい。しかし、専用無線ベアラは、複数の第２の端末デバイスのシグナリングを伝送するために使用されてもよいため、ネットワーク側デバイスは、専用無線ベアラの識別子に基づいて、第２の端末デバイスを一意に決定できず、第２の実現方式を更に実行する必要がある。
【０１２４】
具体的な実現方式では、例えば、ネットワーク側デバイスは基地局である。基地局は、第１の端末デバイスのために第１の端末デバイスと基地局との間に専用シグナリング無線ベアラ（Signal  Radio  Bearer,  SRB）、例えば、第１の端末デバイスにより第２の端末デバイスのRRCシグナリングを伝送するために特に使用されるSRB5を設定する。
【０１２５】
ネットワーク側デバイスと第１の端末デバイスとの間に専用無線ベアラを設定するプロセスは、具体的には以下の取りである。
【０１２６】
ネットワーク側デバイスは、無線ベアラ設定シグナリングを第１の端末デバイスに送信する。無線ベアラ設定シグナリングは、第２の端末デバイスの無線リソース接続管理シグナリングを伝送するために設定されるべき専用無線ベアラの識別子を少なくとも含む。第１の端末デバイスは、ネットワーク側デバイスにより送信された無線ベアラ設定シグナリングを受信し、無線ベアラ設定シグナリングに基づいて、第２の端末デバイスの無線リソース接続管理シグナリングを転送するための専用無線ベアラを設定した後に、無線ベアラ設定完了シグナリングをネットワーク側デバイスに返信する。無線ベアラ設定完了シグナリングは、第２の端末デバイスの無線リソース接続管理シグナリングを伝送するための専用無線ベアラの設定が完了したことを示すために使用される。ネットワーク側デバイスは、第１の端末デバイスにより返信された無線ベアラ設定完了シグナリングを受信する。
【０１２７】
具体的には、専用無線ベアラはSRBである。さらに、無線ベアラ設定シグナリングは、以下の情報、すなわち、
設定されるべき専用無線ベアラが第２の端末デバイスのデータを中継するために使用されることを示すために使用される中継指示情報（relay  indicator）、
設定されるべき専用無線ベアラが第２の端末デバイス識別子又は第２の端末デバイス識別子リストにより示される第２の端末デバイスのデータを伝送するために使用されてもよいことを示すために使用される第２の端末デバイス識別子（remote  UE  ID）又は第２の端末デバイス識別子リスト（remote  UE  ID  list）、
無線リンク制御（Radio  Link  Control,  RLC）レイヤの設定パラメータ、ここで、パラメータは、一般的な端末のRLCパラメータと同じに保持する必要がある、
専用無線ベアラの論理チャネルグループ（Logical  channel  group）を示すために使用されるMAC設定情報（MAC-config;  MAC,  Medium  Access  Control,  媒体アクセス制御）、例えば、論理チャネル識別子5、及び
一時セル無線ネットワーク一時識別子（Cell  Radio  Network  Temporary  Identifier,  CRNTI）リスト、ここで、第２の端末デバイスがネットワークへのRRCリンクを確立せず、第２の端末デバイスがネットワークにより割り当てられた識別子を取得せずに中継UEと連結されるときに、中継UEは、一時CRNTIリストに基づいて、一時識別子を、中継UEと連結された第２の端末デバイスに割り当てる
のうち１つ又は組み合わせを更に含む。
【０１２８】
第２の実現方式では、第１の端末デバイスは、シグナリング送信元指示情報を無線リソース接続管理シグナリングに追加した後に、無線リソース接続管理シグナリングをネットワーク側デバイスに送信する。シグナリング送信元指示情報は、無線リソース接続管理シグナリングが第２の端末デバイスにより生成されたことを示すために使用される。
【０１２９】
具体的には、専用無線ベアラが第１の端末デバイスとネットワーク側デバイスとの間に設定されていないときに、ネットワーク側デバイスは、第２の端末デバイスのシグナリングを転送するために既存の無線ベアラを使用するように、第１の端末デバイスに対して指定する。代替として、ネットワーク側デバイスは、第１の端末デバイスのために１つのみの専用無線ベアラを設定し、専用無線ベアラは、第１の端末デバイスにより、第２の端末デバイスのシグナリングをネットワーク側デバイスに転送するために使用される。この場合、ネットワーク側デバイスは、シグナリングを搬送する無線ベアラのみに基づいて、シグナリングの送信元を識別できず、送信元指示情報をシグナリングに追加する必要がある。例えば、ネットワーク側デバイスが、シグナリング内の送信元指示情報が第２の端末デバイスを示すと識別した場合、ネットワーク側デバイスは、シグナリングが第２の端末デバイスにより生成されたと決定し、或いはネットワーク側デバイスが、シグナリング内の送信元指示情報が第１の端末デバイスを示すと識別した場合、ネットワーク側デバイスは、シグナリングが第１の端末デバイスにより生成されたと決定する。
【０１３０】
具体的には、シグナリング送信元指示情報が、送信元が第２の端末デバイスであることを示すときに、シグナリング送信元指示情報は、第２の端末デバイスの識別子でもよい。第２の端末デバイスの識別子は、ネットワーク側デバイスにより設定されてもよく、或いは第１の端末デバイス及びネットワーク側デバイスにより交渉及び決定された後に通知されてもよく、或いは予め規定されてもよい。
【０１３１】
ステップ803：ネットワーク側デバイスは、第１の端末デバイスにより送信された無線リソース接続管理シグナリングを受信する。
【０１３２】
実現方式では、ネットワーク側デバイスが第１の端末デバイスにより転送された第２の端末デバイスの無線リソース接続管理情報を受信した後に、ネットワーク側デバイスが、第２の端末デバイスがネットワーク側に最初にアクセスしたことを見出した場合、ネットワーク側デバイスは、第２の端末デバイスの加入情報に基づいて第２の端末デバイスのアイデンティティを確認する必要があり、次に、第２の端末デバイスが有効であると確認した後に、その後の処理を実行する。
【０１３３】
ステップ804：ネットワーク側デバイスは、無線リソース接続管理シグナリングを生成した第２の端末デバイスの識別子を決定し、第２の端末デバイスの識別子に対応するセキュリティパラメータを取得する。
【０１３４】
実現方式では、ネットワーク側デバイスは、無線リソース接続管理シグナリングを生成した第２の端末デバイスの識別子を決定し、これは、以下の２つの実現方式を含むが、これらに限定されない。
【０１３５】
第１の実現方式では、ネットワーク側デバイスは、無線リソース接続管理シグナリングを伝送するための専用無線ベアラの識別子を決定し、専用無線ベアラの識別子と第２の端末デバイスの識別子との間の対応関係に基づいて、無線リソース接続管理シグナリングを伝送するための専用無線ベアラの識別子に対応する第２の端末デバイスの識別子が、無線リソース接続管理シグナリングを生成した第２の端末デバイスの識別子であると決定する。
【０１３６】
専用無線ベアラは、ネットワーク側デバイスと第１の端末デバイスとの間の無線ベアラである。
【０１３７】
第２の実現方式では、ネットワーク側デバイスは、無線リソース接続管理シグナリングで搬送されたシグナリング送信元指示情報を取得し、シグナリング送信元指示情報に基づいて、無線リソース接続管理シグナリングが第２の端末デバイスにより生成されたと決定し、無線リソース接続管理シグナリングに基づいて、第２の端末デバイスの識別子を決定する。シグナリング送信元指示情報は、無線リソース接続管理シグナリングが第２の端末デバイスにより生成されたことを示すために使用される。
【０１３８】
シグナリング送信元指示情報の実現方式は、第２の端末デバイスの識別子である。例えば、シグナリング送信元指示情報は、第２の端末デバイスのCRNTI、一時移動加入者識別番号（Temporary  Mobile  Subscriber  Identity,  TMSI）又はインターネットプロトコル（Internet  Protocol,  IP）アドレスである。
【０１３９】
ステップ805：ネットワーク側デバイスは、取得されたセキュリティパラメータを第１の端末デバイスに返信する。
【０１４０】
具体的には、ネットワーク側デバイスは、セキュリティパラメータを搬送するセキュア伝送モード要求を生成し、セキュア伝送モード要求を第１の端末デバイスに送信する。
【０１４１】
ステップ806：第１の端末デバイスは、無線リソース接続管理シグナリングに基づいてネットワーク側デバイスにより返信されたセキュリティパラメータを受信し、セキュリティパラメータを第２の端末デバイスに転送する。
【０１４２】
具体的には、第１の端末デバイスは、セキュリティパラメータを搬送し且つネットワーク側により送信されたセキュア伝送モード要求を受信し、セキュア伝送モード要求を第２の端末デバイスに転送する。
【０１４３】
実現方式では、第１の端末デバイスは、セキュア伝送モード要求を第２の端末デバイスに転送し、これは、以下の２つの具体的な実現方式を含むが、これらに限定されない。
【０１４４】
第１の実現方式では、第１の端末デバイスとネットワーク側デバイスとの間でセキュア伝送モード要求を伝送するために使用される専用無線ベアラが決定され、決定は、専用無線ベアラの属性情報に基づいて実行される。
【０１４５】
具体的には、第１の端末デバイスは、セキュア伝送モード要求を搬送する専用無線ベアラの属性に含まれる第２の端末デバイスの識別子を決定し、専用無線ベアラの属性に含まれる第２の端末デバイスの識別子に基づいて、セキュア伝送モード要求を第２の端末デバイスに転送する。
【０１４６】
第２の実現方式では、セキュア伝送モード要求は、第２の端末デバイスの識別子を更に搬送し、セキュア伝送モード要求は、セキュア伝送モード要求で搬送された第２の端末デバイスの識別子に基づいて転送される。
【０１４７】
具体的には、第１の端末デバイスは、セキュア伝送モード要求で搬送された第２の端末デバイスの識別子に基づいて、セキュア伝送モード要求を第２の端末デバイスに転送する。
【０１４８】
ステップ807：第２の端末デバイスは、第１の端末デバイスにより転送されたセキュリティパラメータを取得する。
【０１４９】
実現方式では、ネットワーク側デバイスは、セキュア伝送モード要求を第１の端末デバイスに伝送し、これは、以下の２つの具体的な実現方式を含むが、これらに限定されない。
【０１５０】
第１の実現方式では、ネットワーク側デバイスは、専用無線ベアラを使用することにより、セキュア伝送モード要求を第１の端末デバイスに送信する。専用無線ベアラは、ネットワーク側デバイスと第１の端末デバイスとの間の無線ベアラである。
【０１５１】
具体的には、セキュア伝送モード要求を搬送する専用無線ベアラの属性は、第２の端末デバイスの識別子を含む。第１の端末デバイスは、専用無線ベアラの属性に含まれる第２の端末デバイスの識別子に基づいて、セキュア伝送モード要求を第２の端末デバイスに転送する。
【０１５２】
第２の実現方式では、セキュア伝送モード要求は、第２の端末デバイスの識別子を更に搬送する。
【０１５３】
第１の端末デバイスは、セキュア伝送モード要求で搬送された第２の端末デバイスの識別子に基づいて、セキュア伝送モード要求を第２の端末デバイスに転送する。
【０１５４】
具体的な実施例では、図１０は、セキュリティパラメータ伝送プロセスを示す。
【０１５５】
第２の端末デバイスがWEであり、第２の端末デバイスがUEであると仮定する。基地局は、ウェアラブル装置の加入情報に基づいて、ウェアラブル装置が有効であると決定する。ウェアラブル装置と通信するためにセキュア伝送モードが使用可能にされる必要があると決定した後に、基地局は、セキュア伝送モード要求を第１の端末デバイスに送信し、セキュア伝送モード要求を第２の端末デバイスに直接伝送するように第１の端末デバイスに対して命令する。第１の端末デバイスは、セキュア伝送モード要求をウェアラブル装置に転送する。セキュア伝送モード要求で搬送されたセキュリティパラメータに基づいてセキュリティ設定を実行した後に、ウェアラブル装置は、セキュア伝送モード設定完了メッセージを第１の端末デバイスに返信し、セキュア伝送モード設定完了メッセージを基地局に直接伝送するように第１の端末デバイスに対して命令する。基地局は、第１の端末デバイスにより直接伝送されたセキュア伝送モード設定完了メッセージを受信し、セキュア伝送モード設定完了メッセージに基づいて、第２の端末デバイスがセキュア伝送モードを使用可能にしたと決定する。この場合、基地局及び第２の端末デバイスは、互いにセキュリティパラメータを成功して交渉し、暗号化方式で互いに通信してもよい。
【０１５６】
本発明の実施例では、第１の端末デバイス及び第２の端末デバイスは、D2Dプロトコル、ブルートゥースプロトコル又はワイヤレスフィデリティWi-Fiプロトコルを使用することにより、互いに無線接続を確立できる。
【０１５７】
同じ発明概念に基づいて、本発明の実施例は、セキュリティパラメータ伝送のための無線ベアラを設定するための方法を更に提供する。ネットワーク側デバイスと第１の端末デバイスとの間に専用無線ベアラを設定するプロセスは、図１１に示されており、具体的には以下の通りである。
【０１５８】
ステップ1101：ネットワーク側デバイスは、無線ベアラ設定シグナリングを第１の端末デバイスに送信し、無線ベアラ設定シグナリングは、第２の端末デバイスの無線リソース接続管理シグナリングを伝送するために設定されるべき専用無線ベアラの識別子を少なくとも含む。
【０１５９】
無線ベアラ設定シグナリングは、ネットワーク側デバイスと第１の端末デバイスとの間に無線ベアラを設定するために使用される。
【０１６０】
実現方式では、ネットワーク側デバイスは、第２の端末デバイスのために対応する専用無線ベアラを設定してもよい。具体的には、第１の端末デバイスとネットワーク側デバイスとの間の専用無線ベアラは、複数の第２の端末デバイスのシグナリングを伝送するために使用されてもよく、或いは１つの特定の第２の端末デバイスのシグナリングを伝送するために使用されてもよい。
【０１６１】
任意選択で、無線ベアラ設定シグナリングは、以下の情報、すなわち、
設定される専用無線ベアラが第２の端末デバイスのデータを中継するために、例えば、第２の端末デバイスのシグナリングを中継するために使用されることを示すために使用される中継指示情報（relay  indicator）、
専用無線ベアラが第２の端末デバイス識別子又は第２の端末デバイス識別子リストにより示される第２の端末デバイスのデータを伝送するために使用されてもよいことを示すために使用される第２の端末デバイス識別子（remote  UE  ID）又は第２の端末デバイス識別子リスト（remote  UE  ID  list）、
無線リンク制御（Radio  Link  Control,  RLC）レイヤの設定パラメータ、ここで、パラメータは、一般的な端末のRLCパラメータと同じに保持する必要がある、
専用無線ベアラの論理チャネルグループ（Logical  channel  group）を示すために使用されるMAC設定情報（MAC-config;  MAC,  Medium  Access  Control,  媒体アクセス制御）、例えば、論理チャネル識別子5、及び
一時セル無線ネットワーク一時識別子（Cell  Radio  Network  Temporary  Identifier,  CRNTI）リスト、ここで、第２の端末デバイスがネットワークへのRRCリンクを確立せず、第２の端末デバイスがネットワークにより割り当てられた識別子を取得せずに中継UEと連結されるときに、中継UEは、一時CRNTIリストに基づいて、一時識別子を、中継UEと連結された第２の端末デバイスに割り当てる
のうち１つ又は組み合わせを更に含む。
【０１６２】
ステップ1102：第１の端末デバイスは、ネットワーク側デバイスにより送信された無線ベアラ設定シグナリングを受信する。
【０１６３】
ステップ1103：第１の端末デバイスは、無線ベアラ設定シグナリングに基づいて、第２の端末デバイスの無線リソース接続管理シグナリングを転送するための専用無線ベアラを設定する。
【０１６４】
ステップ1104：第１の端末デバイスは、無線ベアラ設定完了シグナリングをネットワーク側デバイスに返信し、無線ベアラ設定完了シグナリングは、第２の端末デバイスの無線リソース接続管理シグナリングを伝送するための専用無線ベアラの設定が完了したことを示すために使用される。
【０１６５】
ステップ1105：ネットワーク側デバイスは、第１の端末デバイスにより返信された無線ベアラ設定完了シグナリングを受信する。
【０１６６】
同じ発明概念に基づいて、本発明の実施例は、ネットワーク側デバイスを更に提供する。ネットワーク側デバイスの具体的な実現方式について、セキュリティパラメータ伝送方法の実施例のいくつかの説明を参照する。繰り返しの説明は提供されない。図１２に示すように、ネットワーク側デバイスは、
第１の端末デバイスにより送信された無線リソース接続管理シグナリングを受信するように構成された受信モジュール1201であり、第１の端末デバイスは、中継機能を有し、無線リソース接続管理シグナリングは、第２の端末デバイスにより第１の端末デバイスに送信される受信モジュール1201と、
受信モジュールにより受信された無線リソース接続管理シグナリングを生成した第２の端末デバイスの識別子を決定し、第２の端末デバイスの識別子に対応するセキュリティパラメータを取得するように構成された処理モジュール1202と、
第１の端末デバイスを使用することにより、取得されたセキュリティパラメータを第２の端末デバイスに送信するように構成された送信モジュール1203と
を主に含む。
【０１６７】
可能な実現方式では、処理モジュール1202は、
無線リソース接続管理シグナリングを伝送するための専用無線ベアラの識別子を決定し、専用無線ベアラの識別子と第２の端末デバイスの識別子との間の対応関係に基づいて、無線リソース接続管理シグナリングを伝送するための専用無線ベアラの識別子に対応する第２の端末デバイスの識別子が、無線リソース接続管理シグナリングを生成した第２の端末デバイスの識別子であると決定し、専用無線ベアラは、ネットワーク側デバイスと第１の端末デバイスとの間の無線ベアラであるか、或いは
無線リソース接続管理シグナリングで搬送されたシグナリング送信元指示情報を取得し、シグナリング送信元指示情報に基づいて、無線リソース接続管理シグナリングが第２の端末デバイスにより生成されたと決定し、無線リソース接続管理シグナリングに基づいて、第２の端末デバイスの識別子を決定し、シグナリング送信元指示情報は、無線リソース接続管理シグナリングが第２の端末デバイスにより生成されたことを示すために使用される
ように具体的に構成される。
【０１６８】
可能な実現方式では、送信モジュール1203は、
受信モジュールが第１の端末デバイスにより送信された無線リソース接続管理シグナリングを受信する前に、無線ベアラ設定シグナリングを第１の端末デバイスに送信するように更に構成され、無線ベアラ設定シグナリングは、第２の端末デバイスの無線リソース接続管理シグナリングを伝送するために設定されるべき専用無線ベアラの識別子を少なくとも含み、
受信モジュール1201は、
第１の端末デバイスにより返信された無線ベアラ設定完了シグナリングを受信するように更に構成され、無線ベアラ設定完了シグナリングは、第２の端末デバイスの無線リソース接続管理シグナリングを伝送するための専用無線ベアラの設定が完了したことを示すために使用される。
【０１６９】
可能な実現方式では、処理モジュール1202は、
セキュア伝送モード要求を生成するように具体的に構成され、セキュア伝送モード要求は、セキュリティパラメータを搬送し、
送信モジュール1203は、
処理モジュールにより生成されたセキュア伝送モード要求を第１の端末デバイスに送信するように具体的に構成され、それにより、第１の端末デバイスは、セキュア伝送モード要求を第２の端末デバイスに転送する。
【０１７０】
可能な実現方式では、セキュア伝送モード要求を搬送する専用無線ベアラの属性は、第２の端末デバイスの識別子を含み、専用無線ベアラは、ネットワーク側デバイスと第１の端末デバイスとの間の無線ベアラであり、第１の端末デバイスは、専用無線ベアラの属性に含まれる第２の端末デバイスの識別子に基づいて、セキュア伝送モード要求を第２の端末デバイスに転送するか、或いは
セキュア伝送モード要求は、第２の端末デバイスの識別子を更に搬送し、第１の端末デバイスは、セキュア伝送モード要求で搬送された第２の端末デバイスの識別子に基づいて、セキュア伝送モード要求を第２の端末デバイスに転送する。
【０１７１】
同じ発明概念に基づいて、本発明の実施例は、他のネットワーク側デバイスを更に提供する。ネットワーク側デバイスの具体的な実現方式について、セキュリティパラメータ伝送方法の実施例のいくつかの説明を参照する。繰り返しの説明は提供されない。図１３に示すように、ネットワーク側デバイスは、プロセッサ1301と、メモリ1302と、トランシーバ1303とを主に含む。トランシーバ1303は、プロセッサ1301の制御でデータを受信及び送信するように構成され、メモリ1302は、予め設定されたプログラムを記憶し、プロセッサ1301は、メモリ1302に記憶されたプログラムを読み取り、プログラムに基づいて以下のプロセス、すなわち、
トランシーバ1303を使用することにより、第１の端末デバイスにより送信された無線リソース接続管理シグナリングを受信するプロセスであり、第１の端末デバイスは、中継機能を有し、無線リソース接続管理シグナリングは、第２の端末デバイスにより第１の端末デバイスに送信されるプロセスと、
受信モジュールにより受信された無線リソース接続管理シグナリングを生成した第２の端末デバイスの識別子を決定し、第２の端末デバイスの識別子に対応するセキュリティパラメータを取得するプロセスと、
第１の端末デバイスを使用することにより、取得されたセキュリティパラメータを第２の端末デバイスに送信するようにトランシーバ1303に対して命令するプロセスと
を実行するように構成される。
【０１７２】
実現方式では、プロセッサ1301は、前述の実施例に記載のネットワーク側デバイスの処理モジュール1202の機能を完了するように構成され、トランシーバ1303は、プロセッサ1301の制御で、前述の実施例に記載のネットワーク側デバイスの受信モジュール1201及び送信モジュール1203の機能を完了するように構成される。詳細はここでは再び説明しない。
【０１７３】
同じ発明概念に基づいて、本発明の実施例は、端末デバイスを更に提供し、端末デバイスは、中継機能を有する第１の端末デバイスである。端末デバイスの具体的な実現方式について、セキュリティパラメータ伝送方法の実施例における第１の端末デバイスの関係する説明を参照する。繰り返しの説明は提供されない。図１４に示すように、端末デバイスは、
第２の端末デバイスの無線リソース接続管理シグナリングの宛先がネットワーク側デバイスであると決定された後に、無線リソース接続管理シグナリングをネットワーク側デバイスに送信するように送信モジュール1402に対して命令するように構成された第１の処理モジュール1401と、
受信モジュール1404を使用することにより、無線リソース接続管理シグナリングに基づいてネットワーク側デバイスにより返信されたセキュリティパラメータを受信し、セキュリティパラメータを第２の端末デバイスに転送するように送信モジュール1402に対して命令するように構成された第２の処理モジュール1403であり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得される第２の処理モジュール1403と
を主に含む。
【０１７４】
可能な実現方式では、第１の処理モジュール1401は、
専用エアインタフェースリソースを使用することにより、受信モジュール1404が第２の端末デバイスにより送信された無線リソース接続管理シグナリングを受信したと決定した場合、無線リソース接続管理シグナリングの宛先がネットワーク側デバイスであると決定し、専用エアインタフェースリソースは、第２の端末デバイスのシグナリングをネットワーク側デバイスに転送するように第１の端末デバイスに対して命令するために使用されるか、或いは
無線リソース接続管理シグナリングが転送命令情報を搬送すると決定し、転送命令情報に基づいて、無線リソース接続管理シグナリングの宛先がネットワーク側デバイスであると決定し、転送命令情報は、第２の端末デバイスのシグナリングをネットワーク側デバイスに転送するように命令するために使用される
ように具体的に構成される。
【０１７５】
可能な実現方式では、第１の処理モジュール1401は、
第２の端末デバイスの識別子と専用無線ベアラの識別子との間の対応関係に基づいて、無線リソース接続管理シグナリングを生成した第２の端末デバイスの識別子に対応する専用無線ベアラの識別子を決定し、専用無線ベアラの識別子に基づいて、無線リソース接続管理シグナリングをネットワーク側デバイスに送信するように送信モジュール1402に対して命令し、専用無線ベアラは、ネットワーク側デバイスと第１の端末デバイスとの間の無線ベアラであるか、或いは
シグナリング送信元指示情報が無線リソース接続管理シグナリングに追加された後に、無線リソース接続管理シグナリングをネットワーク側デバイスに送信するように送信モジュール1402に対して命令し、シグナリング送信元指示情報は、無線リソース接続管理シグナリングが第２の端末デバイスにより生成されたことを示すために使用される
ように具体的に構成される。
【０１７６】
可能な実現方式では、第１の処理モジュール1401は、
第２の端末デバイスの識別子と専用無線ベアラの識別子との間の対応関係に基づいて、無線リソース接続管理シグナリングを生成した第２の端末デバイスの識別子に対応する専用無線ベアラの識別子を決定する前に、受信モジュール1404を使用することにより、ネットワーク側デバイスにより送信された無線ベアラ設定シグナリングを受信し、無線ベアラ設定シグナリングは、第２の端末デバイスの無線リソース接続管理シグナリングを伝送するために設定されるべき専用無線ベアラの識別子を少なくとも含み、
第２の端末デバイスの無線リソース接続管理シグナリングを転送するための専用無線ベアラが無線ベアラ設定シグナリングに基づいて設定された後に、無線ベアラ設定完了シグナリングをネットワーク側デバイスに返信するように送信モジュール1402に対して命令し、無線ベアラ設定完了シグナリングは、第２の端末デバイスの無線リソース接続管理シグナリングを伝送するための専用無線ベアラの設定が完了したことを示すために使用される
ように更に構成される。
【０１７７】
可能な実現方式では、第２の処理モジュール1403は、
受信モジュール1404を使用することにより、ネットワーク側デバイスにより返信されたセキュア伝送モード要求を受信し、セキュア伝送モード要求は、セキュリティパラメータを搬送し、
セキュア伝送モード要求を第２の端末デバイスに転送するように送信モジュール1402に対して命令する
ように具体的に構成される。
【０１７８】
可能な実現方式では、第２の処理モジュール1403は、
セキュア伝送モード要求を搬送する専用無線ベアラの属性に含まれる第２の端末デバイスの識別子を決定し、専用無線ベアラは、ネットワーク側デバイスと第１の端末デバイスとの間の無線ベアラであり、送信モジュール1402を使用することにより、専用無線ベアラの属性に含まれる第２の端末デバイスの識別子に基づいて、セキュア伝送モード要求を第２の端末デバイスに転送するか、或いは
セキュア伝送モード要求が第２の端末デバイスの識別子を更に搬送する場合、送信モジュール1402を使用することにより、セキュア伝送モード要求で搬送された第２の端末デバイスの識別子に基づいて、セキュア伝送モード要求を第２の端末デバイスに転送する
ように具体的に構成される。
【０１７９】
同じ発明概念に基づいて、本発明の実施例は、他の端末デバイスを更に提供し、端末デバイスは、中継機能を有する第１の端末デバイスである。端末デバイスの具体的な実現方式について、セキュリティパラメータ伝送方法の実施例における第１の端末デバイスの関係する説明を参照する。繰り返しの説明は提供されない。図１５に示すように、端末デバイスは、プロセッサ1501と、メモリ1502と、トランシーバ1503とを主に含む。トランシーバ1503は、プロセッサ1501の制御でデータを受信及び送信するように構成され、メモリ1502は、予め設定されたプログラムを記憶し、プロセッサ1501は、メモリ1502に記憶されたプログラムを読み取り、プログラムに基づいて以下のプロセス、すなわち、
第２の端末デバイスの無線リソース接続管理シグナリングの宛先がネットワーク側デバイスであると決定された後に、無線リソース接続管理シグナリングをネットワーク側デバイスに送信するようにトランシーバ1503に対して命令するプロセスと、
トランシーバ1503を使用することにより、無線リソース接続管理シグナリングに基づいてネットワーク側デバイスにより返信されたセキュリティパラメータを受信し、セキュリティパラメータを第２の端末デバイスに転送するようにトランシーバ1503に対して命令するプロセスであり、セキュリティパラメータは、ネットワーク側デバイスが無線リソース接続管理シグナリングを生成した第２の端末デバイスの識別子を決定した後に、第２の端末デバイスの識別子に基づいてネットワーク側デバイスにより取得されるプロセスと
を実行するように構成される。
【０１８０】
実現方式では、プロセッサ1501は、前述の実施例に記載の第１の端末デバイスの第１の処理モジュール1401及び第２の処理モジュール1403の機能を完了するように構成され、トランシーバ1503は、プロセッサ1501の制御で、前述の実施例に記載の第１の端末デバイスの受信モジュール1404及び送信モジュール1402の機能を完了するように構成される。詳細はここでは再び説明しない。
【０１８１】
同じ発明概念に基づいて、本発明の実施例は、他の端末デバイスを更に提供し、端末デバイスは、第２の端末デバイス、すなわち、リモートデバイスである。端末デバイスの具体的な実現方式について、セキュリティパラメータ伝送方法の実施例における第２の端末デバイスの関係する説明を参照する。繰り返しの説明は提供されない。図１６に示すように、端末デバイスは、
無線リソース接続管理シグナリングを第１の端末デバイスに送信するように構成された送信モジュール1601であり、それにより、第１の端末デバイスは、無線リソース接続管理シグナリングの宛先がネットワーク側デバイスであると決定した後に、無線リソース接続管理シグナリングをネットワーク側デバイスに転送し、第１の端末デバイスは、中継機能を有する送信モジュール1601と、
第１の端末デバイスを使用することにより、ネットワーク側デバイスにより返信されたセキュリティパラメータを受信するように構成された受信モジュール1602であり、セキュリティパラメータは、ネットワーク側デバイスが無線リソース接続管理シグナリングを生成した端末デバイスの識別子を決定した後に、端末デバイスの識別子に基づいてネットワーク側デバイスにより取得される受信モジュール1602と
を主に含む。
【０１８２】
可能な実現方式では、送信モジュール1601は、
専用エアインタフェースリソースを使用することにより、無線リソース接続管理シグナリングを第１の端末デバイスに送信し、専用エアインタフェースリソースは、端末デバイスのシグナリングをネットワーク側デバイスに転送するように命令するために使用されるか、或いは
転送命令情報が無線リソース接続管理シグナリングに追加された後に、無線リソース接続管理シグナリングを第１の端末デバイスに送信し、転送命令情報は、端末デバイスのシグナリングをネットワーク側デバイスに転送するように命令するために使用される
ように具体的に構成される。
【０１８３】
同じ発明概念に基づいて、本発明の実施例は、他の端末デバイスを更に提供し、端末デバイスは、第２の端末デバイス、すなわち、リモートデバイスである。端末デバイスの具体的な実現方式について、セキュリティパラメータ伝送方法の実施例における第２の端末デバイスの関係する説明を参照する。繰り返しの説明は提供されない。図１７に示すように、端末デバイスは、プロセッサ1701と、メモリ1702と、トランシーバ1703とを主に含む。トランシーバ1703は、プロセッサ1701の制御でデータを受信及び送信するように構成され、メモリ1702は、予め設定されたプログラムを記憶し、プロセッサ1701は、メモリ1702に記憶されたプログラムを読み取り、プログラムに基づいて以下のプロセス、すなわち、
トランシーバ1703を使用することにより、無線リソース接続管理シグナリングを第１の端末デバイスに送信し、それにより、第１の端末デバイスは、無線リソース接続管理シグナリングの宛先がネットワーク側デバイスであると決定した後に、無線リソース接続管理シグナリングをネットワーク側デバイスに転送するプロセスであり、第１の端末デバイスは、中継機能を有するプロセスと、
トランシーバ1703を使用することにより、第１の端末デバイスを使用することにより、ネットワーク側デバイスにより返信されたセキュリティパラメータを受信するプロセスであり、セキュリティパラメータは、ネットワーク側デバイスが無線リソース接続管理シグナリングを生成した端末デバイスの識別子を決定した後に、端末デバイスの識別子に基づいてネットワーク側デバイスにより取得されるプロセスと
を実行するように構成される。
【０１８４】
可能な実現方式では、プロセッサ1701は、専用エアインタフェースリソースを使用することにより、無線リソース接続管理シグナリングを第１の端末デバイスに送信するようにトランシーバ1703に対して命令し、専用エアインタフェースリソースは、端末デバイスのシグナリングをネットワーク側デバイスに転送するように命令するために使用されるか、或いは
転送命令情報が無線リソース接続管理シグナリングに追加された後に、プロセッサ1701は、無線リソース接続管理シグナリングを第１の端末デバイスに送信するようにトランシーバ1703に対して命令し、転送命令情報は、第２の端末デバイスのシグナリングをネットワーク側デバイスに転送するように命令するために使用される。
【０１８５】
同じ発明概念に基づいて、本発明の実施例は、他のネットワーク側デバイスを更に提供する。ネットワーク側デバイスの具体的な実現方式について、専用無線ベアラ設定方法の実施例のいくつかの説明を参照する。繰り返しの説明は提供されない。図１８に示すように、ネットワーク側デバイスは、
無線ベアラ設定シグナリングを第１の端末デバイスに送信するように構成された送信モジュール1801であり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有する送信モジュール1801と、
第１の端末デバイスにより返信された無線ベアラ設定完了シグナリングを受信するように構成された受信モジュール1802であり、無線ベアラ設定完了シグナリングは、第２の端末デバイスの無線リソース接続管理シグナリングを伝送するための専用無線ベアラの設定が完了したことを示すために使用される受信モジュール1802と
を主に含む。
【０１８６】
具体的には、無線ベアラ設定シグナリングで搬送される情報については、方法の実施例のいくつかの説明を参照する。詳細はここでは再び説明しない。
【０１８７】
同じ発明概念に基づいて、本発明の実施例は、他のネットワーク側デバイスを更に提供する。ネットワーク側デバイスの具体的な実現方式について、専用無線ベアラ設定方法の実施例のいくつかの説明を参照する。繰り返しの説明は提供されない。図１９に示すように、ネットワーク側デバイスは、プロセッサ1901と、メモリ1902と、トランシーバ1903とを主に含む。トランシーバ1903は、プロセッサ1901の制御でデータを受信及び送信するように構成され、メモリ1902は、予め設定されたプログラムを記憶し、プロセッサ1901は、メモリ1902に記憶されたプログラムを読み取り、プログラムに基づいて以下のプロセス、すなわち、
無線ベアラ設定シグナリングを第１の端末デバイスに送信するようにトランシーバ1903に対して命令するプロセスであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであり、第１の端末デバイスは、中継機能を有するプロセスと、
第１の端末デバイスにより返信された無線ベアラ設定完了シグナリングを受信するようにトランシーバ1903に対して命令するプロセスであり、無線ベアラ設定完了シグナリングは、第２の端末デバイスの無線リソース接続管理シグナリングを伝送するための専用無線ベアラの設定が完了したことを示すために使用されるプロセスと
を実行するように構成される。
【０１８８】
具体的には、無線ベアラ設定シグナリングで搬送される情報については、方法の実施例のいくつかの説明を参照する。詳細はここでは再び説明しない。
【０１８９】
同じ発明概念に基づいて、本発明の実施例は、他の端末デバイスを更に提供し、端末デバイスは、中継機能を有する第１の端末デバイスである。端末デバイスの具体的な実現方式について、専用無線ベアラ設定方法の実施例のいくつかの説明を参照する。繰り返しの説明は提供されない。図２０に示すように、端末デバイスは、
ネットワーク側デバイスにより送信された無線ベアラ設定シグナリングを受信するように構成された受信モジュール2001であり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラである受信モジュール2001と、
第２の端末デバイスの無線リソース接続管理シグナリングを転送するための専用無線ベアラが無線ベアラ設定シグナリングに基づいて設定された後に、無線ベアラ設定完了シグナリングをネットワーク側デバイスに返信するように構成された送信モジュール2002であり、無線ベアラ設定完了シグナリングは、第２の端末デバイスの無線リソース接続管理シグナリングを伝送するための専用無線ベアラの設定が完了したことを示すために使用される送信モジュール2002と
を主に含む。
【０１９０】
具体的には、無線ベアラ設定シグナリングで搬送される情報については、方法の実施例のいくつかの説明を参照する。詳細はここでは再び説明しない。
【０１９１】
同じ発明概念に基づいて、本発明の実施例は、他の端末デバイスを更に提供し、端末デバイスは、中継機能を有する第１の端末デバイスである。端末デバイスの具体的な実現方式について、専用無線ベアラ設定方法の実施例のいくつかの説明を参照する。繰り返しの説明は提供されない。図２１に示すように、端末デバイスは、プロセッサ2101と、メモリ2102と、トランシーバ2103とを主に含む。トランシーバ2103は、プロセッサ2101の制御でデータを受信及び送信するように構成され、メモリ2102は、予め設定されたプログラムを記憶し、プロセッサ2101は、メモリ2102に記憶されたプログラムを読み取り、プログラムに基づいて以下のプロセス、すなわち、
トランシーバ2103を使用することにより、ネットワーク側デバイスにより送信された無線ベアラ設定シグナリングを受信するプロセスであり、無線ベアラ設定シグナリングは、第２の端末デバイスの無線リソース接続管理シグナリングを伝送するために設定されるべき専用無線ベアラの識別子を少なくとも含み、専用無線ベアラは、ネットワーク側デバイスと第１の端末デバイスとの間の無線ベアラであるプロセスと、
第２の端末デバイスの無線リソース接続管理シグナリングを転送するための専用無線ベアラが無線ベアラ設定シグナリングに基づいて設定された後に、無線ベアラ設定完了シグナリングをネットワーク側デバイスに返信するようにトランシーバ2103に対して命令するプロセスであり、無線ベアラ設定完了シグナリングは、第２の端末デバイスの無線リソース接続管理シグナリングを伝送するための専用無線ベアラの設定が完了したことを示すために使用されるプロセスと
を実行するように構成される。
【０１９２】
具体的には、無線ベアラ設定シグナリングで搬送される情報については、方法の実施例のいくつかの説明を参照する。詳細はここでは再び説明しない。
【０１９３】
図１３、図１５、図１７、図１９及び図２１において、プロセッサ、メモリ及びトランシーバは、バスを使用することにより互いに接続される。バスアーキテクチャは、如何なる数の相互接続されたバス及びブリッジを含んでもよく、具体的には、プロセッサにより表される１つ以上のプロセッサ及びメモリにより表されるメモリの様々な回路を一緒に連結する。バスアーキテクチャは、周辺機器デバイス、電圧調整器及び電力管理回路のような様々な他の回路を一緒に更に連結してもよく、これは当該技術分野において周知である。したがって、この明細書では更なる説明は提供されない。バスインタフェースは、インタフェースを提供する。トランシーバは複数のコンポーネントでもよく、すなわち、トランシーバは、送信機及び受信機を含み、伝送媒体上で様々な他の装置と通信するように構成されたユニットを提供する。プロセッサは、バスアーキテクチャ管理及び一般的な処理を担う。メモリは、プロセッサが動作を実行したときに使用されるデータを記憶してもよい。
【０１９４】
前述の技術的解決策に基づいて、本発明の実施例では、中継機能を有する第１の端末デバイスを使用することにより、セキュリティパラメータを取得することを要求するために使用される無線リソース接続管理シグナリングを受信した後に、ネットワーク側デバイスは、無線リソース接続管理情報を生成した第２の端末デバイスの識別子を決定し、第２の端末デバイスの識別子に対応するセキュリティパラメータを取得し、第１の端末デバイスを使用することにより、取得されたセキュリティパラメータを第２の端末デバイスに送信し、それにより、ネットワーク側デバイスは、第１の端末デバイスを使用することによりシグナリングを転送する方式で、第２の端末デバイスのためのセキュリティパラメータを設定する。
【０１９５】
当業者は、本発明の実施例が方法、システム又はコンピュータプログラムプロダクトとして提供されてもよいことを理解すべきである。したがって、本発明は、ハードウェアのみの実施例、ソフトウェアのみの実施例、又はソフトウェアとハードウェアとの組み合わせを有する実施例の形式を使用してもよい。さらに、本発明は、コンピュータ使用可能プログラムコードを含む１つ以上のコンピュータ使用可能記憶媒体（ディスクメモリ、光メモリ等を含むが、これらに限定されない）上に実現されたコンピュータプログラムプロダクトの形式を使用してもよい。
【０１９６】
本発明について、本発明の実施例による方法、デバイス（システム）及びコンピュータプログラムプロダクトのフローチャート及び／又はブロック図を参照して説明した。コンピュータプログラム命令は、フローチャート及び／又はブロック図内の各プロセス及び／又は各ブロックと、フローチャート及び／又はブロック図内のプロセス及び／又はブロックの組み合わせとを実現するために使用されてもよいことが理解されるべきである。これらのコンピュータプログラム命令は、汎用コンピュータ、専用コンピュータ、埋め込み式コンピュータ又は機械を生成するための他のプログラム可能データ処理デバイスのプロセッサのために提供されてもよく、それにより、コンピュータ又は他のプログラム可能データ処理デバイスのプロセッサにより実行される命令は、フローチャート内の１つ以上のプロセス及び／又はブロック図内の１つ以上のブロックにおける特定の機能を実現するための装置を生成する。
【０１９７】
これらのコンピュータプログラム命令は、コンピュータ又は他のプログラム可能データ処理デバイスに対して特定の方式で動作するように命令できるコンピュータ読み取り可能メモリに記憶されてもよく、それにより、コンピュータ読み取り可能メモリに記憶された命令は、命令装置を含む産物を生成する。命令装置は、フローチャート内の１つ以上のプロセス及び／又はブロック図内の１つ以上のブロックにおける特定の機能を実現する。
【０１９８】
これらのコンピュータプログラム命令はまた、コンピュータ又は他のプログラム可能データ処理デバイスにロードされてもよく、それにより、一連の動作及びステップがコンピュータ又は他のプログラム可能デバイス上で実行され、それにより、コンピュータにより実現される処理を生成する。したがって、コンピュータ又は他のプログラム可能デバイス上で実行される命令は、フローチャート内の１つ以上のプロセス及び／又はブロック図内の１つ以上のブロックにおける特定の機能を実現するためのステップを提供する。
【０１９９】
明らかに、当業者は、本発明の実施例の真意及び範囲を逸脱することなく、本発明に様々な変更及び変形を行うことができる。本発明は、以下の特許請求の範囲及びその均等技術により規定される保護の範囲内に入るという条件で、これらの変更及び変形をカバーすることを意図する。
【図１】
2019511154.tif 000003
【図２】
2019511154.tif 000004
【図３】
2019511154.tif 000005
【図４】
2019511154.tif 000006
【図５】
2019511154.tif 000007
【図６】
2019511154.tif 000008
【図７】
2019511154.tif 000009
【図８】
2019511154.tif 000010
【図９】
2019511154.tif 000011
【図１０】
2019511154.tif 000012
【図１１】
2019511154.tif 000013
【図１２】
2019511154.tif 000014
【図１３】
2019511154.tif 000015
【図１４】
2019511154.tif 000016
【図１５】
2019511154.tif 000017
【図１６】
2019511154.tif 000018
【図１７】
2019511154.tif 000019
【図１８】
2019511154.tif 000020
【図１９】
2019511154.tif 000021
【図２０】
2019511154.tif 000022
【図２１】
2019511154.tif 000023
【国際調査報告】
2019511154.tif 000024
2019511154.tif 000025
2019511154.tif 000026
2019511154.tif 000027